(57)【要約】  ワイヤレス通信のための方法、システム、およびデバイスについて説明する。基地局は、第1の送信時間間隔(TTI)におけるユーザ機器(UE)に送信されるべき物理ダウンリンク共有チャネル(PDSCH)用の時間および周波数リソースを識別してもよい。基地局は、第2のTTIにおける制御チャネル探索空間セット用の構成情報を送信してもよい。第2のTTIは第1のTTIに先行してもよい。構成情報は、PDSCH用の識別された時間および周波数リソースを示す制御チャネル探索空間セットにおいて送られるべき物理ダウンリンク制御チャネル(PDCCH)送信の不在の指示と、制御チャネル探索空間セット用の時間および周波数リソースのセットとを含み得る。UEは、構成情報を受信し、第2のTTIにおけるPDSCH用に割り振られた時間および周波数リソースを識別し、第2のTTIにおけるPDSCH送信を受信してもよい。
2021514123.tif 000002
【特許請求の範囲】
【請求項１】
ユーザ機器(UE)におけるワイヤレス通信のための方法であって、
基地局から、第1の送信時間間隔(TTI)における制御チャネル探索空間セット用の構成情報を受信するステップであって、前記受信された構成情報が、前記制御チャネル探索空間セットにおける物理ダウンリンク制御チャネル(PDCCH)送信の不在の指示と、前記制御チャネル探索空間セット用の時間および周波数リソースのセットとを含む、ステップと、
第1のTTIにおける前記制御チャネル探索空間セット用の前記時間および周波数リソースのセットと、前記制御チャネル探索空間セットにおけるPDCCH送信の前記不在の前記指示とに少なくとも部分的に基づいて、第2のTTIにおける物理ダウンリンク共有チャネル(PDSCH)用に割り振られた時間および周波数リソースを識別するステップと、
前記識別された時間および周波数リソースを使用して、前記第2のTTIにおけるPDSCH送信を受信するステップとを含む、
方法。
【請求項２】
前記PDCCH送信の前記不在の前記指示を受信したことに少なくとも部分的に基づいて、前記制御チャネル探索空間セットにおいてブラインド復号を実行することを控えるステップをさらに含む、
請求項1に記載の方法。
【請求項３】
前記制御チャネル探索空間セット用の前記構成情報が、無線リソース制御シグナリングにおいて受信される、
請求項1に記載の方法。
【請求項４】
前記構成情報が、前記基地局からの制御リソースセット構成と、送信構成指示(TCI)状態と、前記制御リソースセット構成のリソースに対応する前記時間および周波数リソースとを含む、
請求項1に記載の方法。
【請求項５】
ダウンリンク制御情報(DCI)のフィールドにおいて、送信構成指示(TCI)状態を受信するステップであって、TCI状態が、ビーム指示の空間擬似コロケーション(QCL)パラメータを含む、ステップをさらに含む、
請求項1に記載の方法。
【請求項６】
ダウンリンク制御情報(DCI)のフィールドにおいて、送信構成指示(TCI)状態を受信するステップと、
前記PDSCH送信のスケジューリングオフセットがしきい値よりも大きいかまたはそれに等しいことに少なくとも部分的に基づいて、前記受信されたTCI状態に関連付けられたビームを使用して、前記識別された時間および周波数リソースにおいて前記PDSCH送信を受信するステップとをさらに含む、
請求項1に記載の方法。
【請求項７】
ダウンリンク制御情報(DCI)のフィールドにおいて、第1の送信構成指示(TCI)状態を受信するステップと、
前記PDSCH送信のスケジューリングオフセットがしきい値よりも小さいかまたはそれに等しいことに少なくとも部分的に基づいて、第2のTCI状態に関連付けられた第1のビームを使用して、前記識別された時間および周波数リソースにおいて前記PDSCH送信を受信するステップであって、前記第1のビームが、第1のTCI状態に関連付けられた第2のビームとは異なり、制御リソースセットの前記第2のTCI状態が、前記制御チャネル探索空間セットに関連付けられる、ステップとをさらに含む、
請求項1に記載の方法。
【請求項８】
制御リソースセットに関連付けられた前記制御チャネル探索空間セットが、ゼロ個のPDCCH候補を含む、
請求項1に記載の方法。
【請求項９】
基地局におけるワイヤレス通信のための方法であって、
第1の送信時間間隔(TTI)におけるユーザ機器(UE)に送信されるべき物理ダウンリンク共有チャネル(PDSCH)用の時間および周波数リソースを識別するステップと、
前記UEに、第2のTTIにおける制御チャネル探索空間セット用の構成情報を送信するステップであって、前記第2のTTIが第1のTTIに先行し、前記構成情報が、前記PDSCH用の前記識別された時間および周波数リソースを示すために前記制御チャネル探索空間セットにおいて送られるべき物理ダウンリンク制御チャネル(PDCCH)送信の不在の指示と、前記制御チャネル探索空間セット用の時間および周波数リソースのセットとを含む、ステップと、
前記PDSCH用の前記識別された時間および周波数リソースを使用して、前記第1のTTIにおけるPDSCH送信を送信するステップとを含む、
方法。
【請求項１０】
無線リソース制御シグナリングを使用して、前記制御チャネル探索空間セット用の前記構成情報を送信するステップをさらに含む、
請求項9に記載の方法。
【請求項１１】
前記構成情報が、制御リソースセット構成と、送信構成指示(TCI)状態と、前記制御リソースセット構成のリソースに対応する前記時間および周波数リソースとを含む、
請求項9に記載の方法。
【請求項１２】
ダウンリンク制御情報(DCI)のフィールドにおいて、送信構成指示(TCI)状態を送信するステップであって、TCI状態が、ビーム指示の空間擬似コロケーション(QCL)パラメータを含む、ステップをさらに含む、
請求項9に記載の方法。
【請求項１３】
ダウンリンク制御情報(DCI)のフィールドにおいて、送信構成指示(TCI)状態を送信するステップと、
前記PDSCH送信のスケジューリングオフセットがしきい値よりも大きいかまたはそれに等しいことに少なくとも部分的に基づいて、前記送信されたTCI状態に関連付けられたビームを使用して、前記識別された時間および周波数リソースにおいて前記PDSCH送信を送信するステップとをさらに含む、
請求項9に記載の方法。
【請求項１４】
ダウンリンク制御情報(DCI)のフィールドにおいて、第1の送信構成指示(TCI)状態を送信するステップと、
前記PDSCH送信のスケジューリングオフセットがしきい値よりも小さいかまたはそれに等しいことに少なくとも部分的に基づいて、第2のTCI状態に関連付けられた第1のビームを使用して、前記識別された時間および周波数リソースにおいて前記PDSCH送信を送信するステップであって、前記第1のビームが、第1のTCI状態に関連付けられた第2のビームとは異なり、制御リソースセットの前記第2のTCI状態が、前記制御チャネル探索空間セットに関連付けられる、ステップとをさらに含む、
請求項9に記載の方法。
【請求項１５】
制御リソースセットに関連付けられた前記制御チャネル探索空間セットが、ゼロ個のPDCCH候補を含む、
請求項9に記載の方法。
【請求項１６】
ワイヤレス通信のための装置であって、
基地局から、第1の送信時間間隔(TTI)における制御チャネル探索空間セット用の構成情報を受信する手段であって、前記受信された構成情報が、前記制御チャネル探索空間セットにおける物理ダウンリンク制御チャネル(PDCCH)送信の不在の指示と、前記制御チャネル探索空間セット用の時間および周波数リソースのセットとを含む、手段と、
第1のTTIにおける前記制御チャネル探索空間セット用の前記時間および周波数リソースのセットと、前記制御チャネル探索空間セットにおけるPDCCH送信の前記不在の前記指示とに少なくとも部分的に基づいて、第2のTTIにおける物理ダウンリンク共有チャネル(PDSCH)用に割り振られた時間および周波数リソースを識別する手段と、
前記識別された時間および周波数リソースを使用して、前記第2のTTIにおけるPDSCH送信を受信する手段とを備える、
装置。
【請求項１７】
前記PDCCH送信の前記不在の前記指示を受信したことに少なくとも部分的に基づいて、前記制御チャネル探索空間セットにおいてブラインド復号を実行することを控える手段をさらに備える、
請求項16に記載の装置。
【請求項１８】
ダウンリンク制御情報(DCI)のフィールドにおいて、送信構成指示(TCI)状態を受信する手段であって、TCI状態が、ビーム指示の空間擬似コロケーション(QCL)パラメータを含む、手段をさらに備える、
請求項16に記載の装置。
【請求項１９】
ダウンリンク制御情報(DCI)のフィールドにおいて、送信構成指示(TCI)状態を受信する手段と、
前記PDSCH送信のスケジューリングオフセットがしきい値よりも大きいかまたはそれに等しいことに少なくとも部分的に基づいて、前記受信されたTCI状態に関連付けられたビームを使用して、前記識別された時間および周波数リソースにおいて前記PDSCH送信を受信する手段とをさらに備える、
請求項16に記載の装置。
【請求項２０】
ダウンリンク制御情報(DCI)のフィールドにおいて、第1の送信構成指示(TCI)状態を受信する手段と、
前記PDSCH送信のスケジューリングオフセットがしきい値よりも小さいかまたはそれに等しいことに少なくとも部分的に基づいて、第2のTCI状態に関連付けられた第1のビームを使用して、前記識別された時間および周波数リソースにおいて前記PDSCH送信を受信する手段であって、前記第1のビームが、第1のTCI状態に関連付けられた第2のビームとは異なり、制御リソースセットの前記第2のTCI状態が、前記制御チャネル探索空間セットに関連付けられる、手段とをさらに備える、
請求項16に記載の装置。
【請求項２１】
ワイヤレス通信のための装置であって、
第1の送信時間間隔(TTI)におけるユーザ機器(UE)に送信されるべき物理ダウンリンク共有チャネル(PDSCH)用の時間および周波数リソースを識別する手段と、
前記UEに、第2のTTIにおける制御チャネル探索空間セット用の構成情報を送信する手段であって、前記第2のTTIが第1のTTIに先行し、前記構成情報が、前記PDSCH用の前記識別された時間および周波数リソースを示すために前記制御チャネル探索空間セットにおいて送られるべき物理ダウンリンク制御チャネル(PDCCH)送信の不在の指示と、前記制御チャネル探索空間セット用の時間および周波数リソースのセットとを含む、手段と、
前記PDSCH用の前記識別された時間および周波数リソースを使用して、前記第1のTTIにおけるPDSCH送信を送信する手段とを備える、
装置。
【請求項２２】
無線リソース制御シグナリングを使用して、前記制御チャネル探索空間セット用の前記構成情報を送信する手段をさらに備える、
請求項21に記載の装置。
【請求項２３】
ダウンリンク制御情報(DCI)のフィールドにおいて、送信構成指示(TCI)状態を送信する手段であって、TCI状態が、ビーム指示の空間擬似コロケーション(QCL)パラメータを含む、手段をさらに備える、
請求項21に記載の装置。
【請求項２４】
前記PDSCH送信のスケジューリングオフセットがしきい値よりも大きいかまたはそれに等しいことに少なくとも部分的に基づいて、前記識別された時間および周波数リソースに対応するビームを使用して、前記第1のTTIにおける前記PDSCH送信を送信する手段をさらに備える、
請求項21に記載の装置。
【請求項２５】
前記PDSCH送信のスケジューリングオフセットがしきい値よりも小さいかまたはそれに等しいことに少なくとも部分的に基づいて、第1のビームを使用して前記第1のTTIにおける前記PDSCH送信を送信する手段であって、前記第1のビームが、前記識別された時間および周波数リソースに対応する第2のビームとは異なる、手段をさらに備える、
請求項21に記載の装置。
【請求項２６】
ワイヤレス通信のための装置であって、
プロセッサと、
前記プロセッサと電子通信しているメモリと、
前記メモリに記憶された命令とを備え、前記命令が、
基地局から、第1の送信時間間隔(TTI)における制御チャネル探索空間セット用の構成情報を受信することであって、前記受信された構成情報が、前記制御チャネル探索空間セットにおける物理ダウンリンク制御チャネル(PDCCH)送信の不在の指示と、前記制御チャネル探索空間セット用の時間および周波数リソースのセットとを含む、ことと、
第1のTTIにおける前記制御チャネル探索空間セット用の前記時間および周波数リソースのセットと、前記制御チャネル探索空間セットにおけるPDCCH送信の前記不在の前記指示とに少なくとも部分的に基づいて、第2のTTIにおける物理ダウンリンク共有チャネル(PDSCH)用に割り振られた時間および周波数リソースを識別することと、
前記識別された時間および周波数リソースを使用して、前記第2のTTIにおけるPDSCH送信を受信することとを前記装置に行わせるように前記プロセッサによって実行可能である、
装置。
【請求項２７】
前記命令が、
前記PDCCH送信の前記不在の前記指示を受信したことに少なくとも部分的に基づいて、前記制御チャネル探索空間セットにおいてブラインド復号を実行することを控えることを前記装置に行わせるように前記プロセッサによってさらに実行可能である、
請求項26に記載の装置。
【請求項２８】
前記制御チャネル探索空間セット用の前記構成情報が、無線リソース制御シグナリングにおいて受信される、
請求項26に記載の装置。
【請求項２９】
前記構成情報が、前記基地局からの制御リソースセット構成と、送信構成指示(TCI)状態と、前記制御リソースセット構成のリソースに対応する前記時間および周波数リソースとを含む、
請求項26に記載の装置。
【請求項３０】
前記命令が、
ダウンリンク制御情報(DCI)のフィールドにおいて、送信構成指示(TCI)状態を受信することであって、TCI状態が、ビーム指示の空間擬似コロケーション(QCL)パラメータを含む、ことを前記装置に行わせるように前記プロセッサによってさらに実行可能である、
請求項26に記載の装置。
【請求項３１】
前記命令が、
ダウンリンク制御情報(DCI)のフィールドにおいて、送信構成指示(TCI)状態を受信することと、
前記PDSCH送信のスケジューリングオフセットがしきい値よりも大きいかまたはそれに等しいことに少なくとも部分的に基づいて、前記受信されたTCI状態に関連付けられたビームを使用して、前記識別された時間および周波数リソースにおいて前記PDSCH送信を受信することとを前記装置に行わせるように前記プロセッサによってさらに実行可能である、
請求項26に記載の装置。
【請求項３２】
前記命令が、
ダウンリンク制御情報(DCI)のフィールドにおいて、第1の送信構成指示(TCI)状態を受信することと、
前記PDSCH送信のスケジューリングオフセットがしきい値よりも小さいかまたはそれに等しいことに少なくとも部分的に基づいて、第2のTCI状態に関連付けられた第1のビームを使用して、前記識別された時間および周波数リソースにおいて前記PDSCH送信を受信することであって、前記第1のビームが、第1のTCI状態に関連付けられた第2のビームとは異なり、制御リソースセットの前記第2のTCI状態が、前記制御チャネル探索空間セットに関連付けられる、こととを前記装置に行わせるように前記プロセッサによってさらに実行可能である、
請求項26に記載の装置。
【請求項３３】
制御リソースセットに関連付けられた前記制御チャネル探索空間セットが、ゼロ個のPDCCH候補を含む、
請求項26に記載の装置。
【請求項３４】
ワイヤレス通信のための装置であって、
プロセッサと、
前記プロセッサと電子通信しているメモリと、
前記メモリに記憶された命令とを備え、前記命令が、
第1の送信時間間隔(TTI)におけるユーザ機器(UE)に送信されるべき物理ダウンリンク共有チャネル(PDSCH)用の時間および周波数リソースを識別することと、
前記UEに、第2のTTIにおける制御チャネル探索空間セット用の構成情報を送信することであって、前記第2のTTIが第1のTTIに先行し、前記構成情報が、前記PDSCH用の前記識別された時間および周波数リソースを示すために前記制御チャネル探索空間セットにおいて送られるべき物理ダウンリンク制御チャネル(PDCCH)送信の不在の指示と、前記制御チャネル探索空間セット用の時間および周波数リソースのセットとを含む、ことと、
前記PDSCH用の前記識別された時間および周波数リソースを使用して、前記第1のTTIにおけるPDSCH送信を送信することとを前記装置に行わせるように前記プロセッサによってさらに実行可能である、
装置。
【請求項３５】
前記命令が、
無線リソース制御シグナリングを使用して、前記制御チャネル探索空間セット用の前記構成情報を送信することを前記装置に行わせるように前記プロセッサによってさらに実行可能である、
請求項34に記載の装置。
【請求項３６】
前記構成情報が、制御リソースセット構成と、送信構成指示(TCI)状態と、前記制御リソースセット構成のリソースに対応する前記時間および周波数リソースとを含む、
請求項34に記載の装置。
【請求項３７】
前記命令が、
ダウンリンク制御情報(DCI)のフィールドにおいて、送信構成指示(TCI)状態を送信することであって、TCI状態が、ビーム指示の空間擬似コロケーション(QCL)パラメータを含む、ことを前記装置に行わせるように前記プロセッサによってさらに実行可能である、
請求項34に記載の装置。
【請求項３８】
前記命令が、
ダウンリンク制御情報(DCI)のフィールドにおいて、送信構成指示(TCI)状態を送信することと、
前記PDSCH送信のスケジューリングオフセットがしきい値よりも大きいかまたはそれに等しいことに少なくとも部分的に基づいて、前記送信されたTCI状態に関連付けられたビームを使用して、前記識別された時間および周波数リソースにおいて前記PDSCH送信を送信することとを前記装置に行わせるように前記プロセッサによってさらに実行可能である、
請求項34に記載の装置。
【請求項３９】
前記命令が、
ダウンリンク制御情報(DCI)のフィールドにおいて、第1の送信構成指示(TCI)状態を送信することと、
前記PDSCH送信のスケジューリングオフセットがしきい値よりも小さいかまたはそれに等しいことに少なくとも部分的に基づいて、第2のTCI状態に関連付けられた第1のビームを使用して、前記識別された時間および周波数リソースにおいて前記PDSCH送信を送信することであって、前記第1のビームが、第1のTCI状態に関連付けられた第2のビームとは異なり、制御リソースセットの前記第2のTCI状態が、前記制御チャネル探索空間セットに関連付けられる、こととを前記装置に行わせるように前記プロセッサによってさらに実行可能である、
請求項34に記載の装置。
【請求項４０】
制御リソースセットに関連付けられた前記制御チャネル探索空間セットが、ゼロ個のPDCCH候補を含む、
請求項34に記載の装置。
【請求項４１】
ワイヤレス通信のためのコードを記憶する非一時的コンピュータ可読記憶媒体であって、前記コードが、
基地局から、第1の送信時間間隔(TTI)における制御チャネル探索空間セット用の構成情報を受信することであって、前記受信された構成情報が、前記制御チャネル探索空間セットにおける物理ダウンリンク制御チャネル(PDCCH)送信の不在の指示と、前記制御チャネル探索空間セット用の時間および周波数リソースのセットとを含む、ことと、
第1のTTIにおける前記制御チャネル探索空間セット用の前記時間および周波数リソースのセットと、前記制御チャネル探索空間セットにおけるPDCCH送信の前記不在の前記指示とに少なくとも部分的に基づいて、第2のTTIにおける物理ダウンリンク共有チャネル(PDSCH)用に割り振られた時間および周波数リソースを識別することと、
前記識別された時間および周波数リソースを使用して、前記第2のTTIにおけるPDSCH送信を受信することとを行うようにプロセッサによって実行可能である命令を含む、
非一時的コンピュータ可読記憶媒体。
【請求項４２】
ワイヤレス通信のためのコードを記憶する非一時的コンピュータ可読記憶媒体であって、前記コードが、
第1の送信時間間隔(TTI)におけるユーザ機器(UE)に送信されるべき物理ダウンリンク共有チャネル(PDSCH)用の時間および周波数リソースを識別することと、
前記UEに、第2のTTIにおける制御チャネル探索空間セット用の構成情報を送信することであって、前記第2のTTIが第1のTTIに先行し、前記構成情報が、前記PDSCH用の前記識別された時間および周波数リソースを示すために前記制御チャネル探索空間セットにおいて送られるべき物理ダウンリンク制御チャネル(PDCCH)送信の不在の指示と、前記制御チャネル探索空間セット用の時間および周波数リソースのセットとを含む、ことと、
前記PDSCH用の前記識別された時間および周波数リソースを使用して、前記第1のTTIにおけるPDSCH送信を送信することとを行うようにプロセッサによって実行可能である命令を含む、
非一時的コンピュータ可読記憶媒体。
【発明の詳細な説明】
【技術分野】
【０００１】
相互参照
本特許出願は、各々が本出願の譲受人に譲渡され、その全体が参照により明確に組み込まれる、2016年2月4日に出願された「VIRTUAL SEARCH SPACES FOR BEAM INDICATION」と題するNAMらによる米国特許出願第16/267,298号、および2018年2月16日に出願された「VIRTUAL SEARCH SPACES FOR BEAM INDICATION」と題するNAMらによる米国仮特許出願第62/710,486号の利益を主張する。
【０００２】
以下は、一般にワイヤレス通信に関し、より詳細には、ビーム指示用の仮想探索空間セットに関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、ロングタームエボリューション(LTE)システム、LTEアドバンスト(LTE-A)システム、またはLTE-A Proシステムなどの第4世代(4G)システム、およびニューラジオ(NR)システムと呼ばれることがある第5世代(5G)システムを含む。これらのシステムは、符号分割多元接続(CDMA(登録商標))、時分割多元接続(TDMA)、周波数分割多元接続(FDMA)、直交周波数分割多元接続(OFDMA)、または離散フーリエ変換拡散OFDM(DFT-S-OFDM)などの技術を採用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００４】
基地局は、物理ダウンリンク制御チャネル(PDCCH)を介してUEに制御送信(たとえば、ダウンリンク制御情報(DCI))を送ってもよい。UEは、複数の探索候補を含み得る探索空間セット内のPDCCHを監視するように構成されてもよい。たとえば、各探索空間セットは、複数の制御チャネル要素(CCE)を含む1つまたは複数の制御リソースセット(coreset)に関連付けられてもよい。UEは、探索空間セットにおける1つまたは複数の探索候補を監視するように構成されてもよく、制御情報を受信するために探索候補の1つまたは複数のCCEをブラインド復号してもよい。
【発明の概要】
【課題を解決するための手段】
【０００５】
説明する技法は、ビーム指示用の仮想探索空間セットをサポートする、改善された方法、システム、デバイス、または装置に関する。いくつかのワイヤレス通信システムでは、基地局は、探索空間構成を構成し、提供してもよい。基地局は、構成された探索空間セット内で制御情報をユーザ機器(UE)に送信してもよい。探索空間セットは、複数の制御チャネル要素(CCE)を含む1つまたは複数の制御リソースセット(coreset)に関連付けられてもよい。基地局は、coreset内の異なるアグリゲーションレベルで探索候補(たとえば、物理ダウンリンク制御チャネル(PDCCH)候補)において制御情報を送信してもよい。いくつかの場合、基地局は、追加として、探索空間構成の指示をUEに送信してもよい。UEは、探索空間構成に従って、基地局からのダウンリンク制御情報(DCI)を搬送するチャネル(たとえば、PDCCH)を監視してもよい。
【０００６】
UEは、探索空間セットにおける探索候補内でDCIを検出し、復号してもよい。いくつかの場合、UEは、探索空間構成およびスケジューリング情報に従って、基地局から送信を受信してもよい。DCIは、スケジューリング情報、たとえば、(たとえば、物理ダウンリンク共有チャネル(PDSCH)上で)ダウンリンクデータ送信を基地局から送信(し、UEにおいて受信)するためのリソース割振りを含み得る。いくつかの場合、UEは、探索空間構成およびスケジューリング情報に基づいて、第1の送信時間間隔(TTI)の間に第1のビーム上でPDCCHを受信し、第2のTTIの間に同じビーム上でPDSCHを受信してもよい。いくつかの場合、UEは、特定の基準が満たされていない(たとえば、PDCCHからPDSCHへの時間オフセットがTTIのしきい値数よりも小さい)ことを認識し、第1のビームとは異なる第2のビームであり得る、デフォルト構成のビームを使用することがある。UEによって使用される探索空間構成は、仮想探索空間セットまたは通常の探索空間セットであり得る。仮想探索空間セットおよび/または通常の探索空間セットに対する実際に送信されるPDCCHの数は、ゼロであってもよい。いくつかの場合、仮想探索空間セットは、追加または代替として、候補PDCCHの数がゼロであることを(たとえば、構成指示によって)示していることがある。したがって、UEは、仮想探索空間セットに関連付けられたTTIの間にブラインド復号を実行することを(たとえば、実行しないことによって)控えることがある。UEはまた、仮想探索空間セットに関連付けられた示されたcoreset(たとえば、時間および周波数リソース)を、PDSCHを受信するためのcoreset/時間および周波数リソースとして使用してもよい。
【０００７】
ワイヤレス通信の方法について説明する。方法は、基地局から、第1のTTIにおける制御チャネル探索空間セット用の構成情報を受信するステップであって、受信された構成情報が、制御チャネル探索空間セットにおけるPDCCH送信の不在の指示と、制御チャネル探索空間セット用の時間および周波数リソースのセットとを含む、ステップと、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別するステップと、識別された時間および周波数リソースを使用して、第2のTTIにおけるPDSCH送信を受信するステップとを含んでもよい。
【０００８】
ワイヤレス通信のための装置について説明する。装置は、プロセッサと、プロセッサと電子通信しているメモリと、メモリに記憶された命令とを含み得る。命令は、基地局から、第1のTTIにおける制御チャネル探索空間セット用の構成情報を受信することであって、受信された構成情報が、制御チャネル探索空間セットにおけるPDCCH送信の不在の指示と、制御チャネル探索空間セット用の時間および周波数リソースのセットとを含む、ことと、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別することと、識別された時間および周波数リソースを使用して、第2のTTIにおけるPDSCH送信を受信することとを装置に行わせるようにプロセッサによって実行可能であってもよい。
【０００９】
ワイヤレス通信のための別の装置について説明する。装置は、基地局から、第1のTTIにおける制御チャネル探索空間セット用の構成情報を受信する手段であって、受信された構成情報が、制御チャネル探索空間セットにおけるPDCCH送信の不在の指示と、制御チャネル探索空間セット用の時間および周波数リソースのセットとを含む、手段と、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別する手段と、識別された時間および周波数リソースを使用して、第2のTTIにおけるPDSCH送信を受信する手段とを含んでもよい。
【００１０】
ワイヤレス通信のためのコードを記憶する非一時的コンピュータ可読記憶媒体について説明する。コードは、基地局から、第1のTTIにおける制御チャネル探索空間セット用の構成情報を受信することであって、受信された構成情報が、制御チャネル探索空間セットにおけるPDCCH送信の不在の指示と、制御チャネル探索空間セット用の時間および周波数リソースのセットとを含む、ことと、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別することと、識別された時間および周波数リソースを使用して、第2のTTIにおけるPDSCH送信を受信することとをプロセッサによって実行可能である命令を含んでもよい。
【００１１】
本明細書で説明する方法、装置、および非一時的コンピュータ可読記憶媒体のいくつかの例は、PDCCH送信の不在の指示を受信したことに基づいて、制御チャネル探索空間セットにおいてブラインド復号を実行することを控えるための動作、特徴、手段、または命令をさらに含んでもよい。
【００１２】
本明細書で説明する方法、装置、および非一時的コンピュータ可読記憶媒体のいくつかの例では、制御チャネル探索空間セット用の構成情報は、無線リソース制御シグナリングにおいて受信されてもよい。
【００１３】
本明細書で説明する方法、装置、および非一時的コンピュータ可読記憶媒体のいくつかの例では、構成情報は、基地局からの制御リソースセット構成と、送信構成指示(TCI)状態と、制御リソースセット構成のリソースに対応する時間および周波数リソースとを含む。
【００１４】
本明細書で説明する方法、装置、および非一時的コンピュータ可読記憶媒体のいくつかの例は、DCIのフィールドにおいて、送信構成指示(TCI)状態を受信するための動作、特徴、手段、または命令をさらに含んでもよく、TCI状態は、ビーム指示の空間擬似コロケーション(QCL)パラメータを含む。
【００１５】
本明細書で説明する方法、装置、および非一時的コンピュータ可読記憶媒体のいくつかの例は、DCIのフィールドにおいて、送信構成指示(TCI)状態を受信し、PDSCH送信のスケジューリングオフセットがしきい値よりも大きいかまたはそれに等しいことに基づいて、受信されたTCI状態に関連付けられたビームを使用して、識別された時間および周波数リソースにおいてPDSCH送信を受信するための動作、特徴、手段、または命令をさらに含んでもよい。
【００１６】
本明細書で説明する方法、装置、および非一時的コンピュータ可読記憶媒体のいくつかの例は、DCIのフィールドにおいて、第1の送信構成指示(TCI)状態を受信し、PDSCH送信のスケジューリングオフセットがしきい値よりも小さいかまたはそれに等しいことに基づいて、第2のTCI状態に関連付けられた第1のビームを使用して、識別された時間および周波数リソースにおいてPDSCH送信を受信するための動作、特徴、手段、または命令をさらに含んでもよく、第1のビームは、第1のTCI状態に関連付けられた第2のビームとは異なり、制御リソースセットの第2のTCI状態は、制御チャネル探索空間セットに関連付けられる。
【００１７】
本明細書で説明する方法、装置、および非一時的コンピュータ可読記憶媒体のいくつかの例では、制御リソースセットに関連付けられた制御チャネル探索空間セットは、ゼロ個のPDCCH候補を含む。
【００１８】
ワイヤレス通信の方法について説明する。方法は、第1のTTIにおけるUEに送信されるべきPDSCH用の時間および周波数リソースを識別するステップと、UEに、第2のTTIにおける制御チャネル探索空間セット用の構成情報を送信するステップであって、第2のTTIが第1のTTIに先行し、構成情報が、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む、ステップと、PDSCH用の識別された時間および周波数リソースを使用して、第1のTTIにおけるPDSCH送信を送信するステップとを含んでもよい。
【００１９】
ワイヤレス通信のための装置について説明する。装置は、プロセッサと、プロセッサと電子通信しているメモリと、メモリに記憶された命令とを含み得る。命令は、第1のTTIにおけるUEに送信されるべきPDSCH用の時間および周波数リソースを識別することと、UEに、第2のTTIにおける制御チャネル探索空間セット用の構成情報を送信することであって、第2のTTIが第1のTTIに先行し、構成情報が、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む、ことと、PDSCH用の識別された時間および周波数リソースを使用して、第1のTTIにおけるPDSCH送信を送信することとを装置に行わせるようにプロセッサによって実行可能であってもよい。
【００２０】
ワイヤレス通信のための別の装置について説明する。装置は、第1のTTIにおけるUEに送信されるべきPDSCH用の時間および周波数リソースを識別する手段と、UEに、第2のTTIにおける制御チャネル探索空間セット用の構成情報を送信する手段であって、第2のTTIが第1のTTIに先行し、構成情報が、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む、手段と、PDSCH用の識別された時間および周波数リソースを使用して、第1のTTIにおけるPDSCH送信を送信する手段とを含んでもよい。
【００２１】
ワイヤレス通信のためのコードを記憶する非一時的コンピュータ可読記憶媒体について説明する。コードは、第1のTTIにおけるUEに送信されるべきPDSCH用の時間および周波数リソースを識別することと、UEに、第2のTTIにおける制御チャネル探索空間セット用の構成情報を送信することであって、第2のTTIが第1のTTIに先行し、構成情報が、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む、ことと、PDSCH用の識別された時間および周波数リソースを使用して、第1のTTIにおけるPDSCH送信を送信することとを行うようにプロセッサによって実行可能である命令を含んでもよい。
【００２２】
本明細書で説明する方法、装置、および非一時的コンピュータ可読記憶媒体のいくつかの例は、無線リソース制御シグナリングを使用して、制御チャネル探索空間セット用の構成情報を送信するための動作、特徴、手段、または命令をさらに含んでもよい。
【００２３】
本明細書で説明する方法、装置、および非一時的コンピュータ可読記憶媒体のいくつかの例では、構成情報は、制御リソースセット構成と、送信構成指示(TCI)状態と、制御リソースセット構成のリソースに対応する時間および周波数リソースとを含む。
【００２４】
本明細書で説明する方法、装置、および非一時的コンピュータ可読記憶媒体のいくつかの例は、DCIのフィールドにおいて、送信構成指示(TCI)状態を送信するための動作、特徴、手段、または命令をさらに含んでもよく、TCI状態は、ビーム指示の空間擬似コロケーション(QCL)パラメータを含む。
【００２５】
本明細書で説明する方法、装置、および非一時的コンピュータ可読記憶媒体のいくつかの例は、DCIのフィールドにおいて、送信構成指示(TCI)状態を送信し、PDSCH送信のスケジューリングオフセットがしきい値よりも大きいかまたはそれに等しいことに基づいて、送信されたTCI状態に関連付けられたビームを使用して、識別された時間および周波数リソースにおいてPDSCH送信を送信するための動作、特徴、手段、または命令をさらに含んでもよい。
【００２６】
本明細書で説明する方法、装置、および非一時的コンピュータ可読記憶媒体のいくつかの例は、DCIのフィールドにおいて、第1の送信構成指示(TCI)状態を送信し、PDSCH送信のスケジューリングオフセットがしきい値よりも小さいかまたはそれに等しいことに基づいて、第2のTCI状態に関連付けられた第1のビームを使用して、識別された時間および周波数リソースにおいてPDSCH送信を送信するための動作、特徴、手段、または命令をさらに含んでもよく、第1のビームは、第1のTCI状態に関連付けられた第2のビームとは異なり、制御リソースセットの第2のTCI状態は、制御チャネル探索空間セットに関連付けられる。
【００２７】
本明細書で説明する方法、装置、および非一時的コンピュータ可読記憶媒体のいくつかの例では、制御リソースセットに関連付けられた制御チャネル探索空間セットは、ゼロ個のPDCCH候補を含む。
【図面の簡単な説明】
【００２８】
【図１】本開示の態様による、ビーム指示用の仮想探索空間セットをサポートするワイヤレス通信システムの一例を示す図である。
【図２】本開示の態様による、ビーム指示用の仮想探索空間セットをサポートするワイヤレス通信システムの一例を示す図である。
【図３】本開示の態様による、ビーム指示用の仮想探索空間セットをサポートする構成の一例を示す図である。
【図４】本開示の態様による、ビーム指示用の仮想探索空間セットをサポートするプロセスフローの一例を示す図である。
【図５】本開示の態様による、ビーム指示用の仮想探索空間セットをサポートするデバイスのブロック図である。
【図６】本開示の態様による、ビーム指示用の仮想探索空間セットをサポートするデバイスのブロック図である。
【図７】本開示の態様による、ビーム指示用の仮想探索空間セットをサポートするデバイスのブロック図である。
【図８】本開示の態様による、ビーム指示用の仮想探索空間セットをサポートするUEを含むシステムのブロック図である。
【図９】本開示の態様による、ビーム指示用の仮想探索空間セットをサポートするデバイスのブロック図である。
【図１０】本開示の態様による、ビーム指示用の仮想探索空間セットをサポートするデバイスのブロック図である。
【図１１】本開示の態様による、ビーム指示用の仮想探索空間セットをサポートするデバイスのブロック図である。
【図１２】本開示の態様による、ビーム指示用の仮想探索空間セットをサポートする基地局を含むシステムのブロック図である。
【図１３】本開示の態様による、ビーム指示用の仮想探索空間セットのための方法を示す図である。
【図１４】本開示の態様による、ビーム指示用の仮想探索空間セットのための方法を示す図である。
【図１５】本開示の態様による、ビーム指示用の仮想探索空間セットのための方法を示す図である。
【図１６】本開示の態様による、ビーム指示用の仮想探索空間セットのための方法を示す図である。
【図１７】本開示の態様による、ビーム指示用の仮想探索空間セットのための方法を示す図である。
【図１８】本開示の態様による、ビーム指示用の仮想探索空間セットのための方法を示す図である。
【図１９】本開示の態様による、ビーム指示用の仮想探索空間セットのための方法を示す図である。
【発明を実施するための形態】
【００２９】
基地局は、構成された探索空間セット内で制御情報をユーザ機器(UE)に送信してもよい。探索空間セットは、複数の制御チャネル要素(CCE)を含む1つまたは複数の制御リソースセット(coreset)を含んでもよい。基地局は、coreset内の異なるアグリゲーションレベルで探索候補(たとえば、物理ダウンリンク制御チャネル(PDCCH)候補)において制御情報を送信してもよい。いくつかの場合、基地局は、追加として、探索空間構成の指示をUEに送信してもよい。UEは、探索空間構成に従って、基地局からのダウンリンク制御情報(DCI)についてチャネル(たとえば、PDCCH)を監視してもよい。
【００３０】
UEは、探索候補内で制御情報を検出し、復号してもよい。いくつかの場合、UEは、探索空間構成に従って、基地局から送信を受信してもよい。DCIは、(たとえば、物理ダウンリンク共有チャネル(PDSCH)上で)ダウンリンクデータ送信を基地局から送信(し、UEにおいて受信)するためのスケジュールおよびリソース割振りを含み得る。いくつかの場合、UEは、探索空間構成に基づいて、第1の送信時間間隔(TTI)の間に第1のビーム上でPDCCHを受信し、第2のTTIの間に第2のビーム上でPDSCHを受信してもよい。探索空間構成は、(探索空間セット内にあるように構成されたゼロ個のPDCCH候補に対応する)仮想探索空間セットまたは(探索空間セット内にあるように構成された1つまたは複数のPDCCH候補に対応する)通常の探索空間セットに関連付けられ得る。
【００３１】
本開示の態様は、最初にワイヤレス通信システムの文脈で説明される。本開示の態様は、構成およびプロセスフローの文脈でさらに示される。本開示の態様は、ビーム指示用の仮想探索空間セットに関する装置図、システム図、およびフローチャートによってさらに示され、それらを参照しながら説明される。
【００３２】
図1は、本開示の様々な態様による、ビーム指示用の仮想探索空間セットをサポートするワイヤレス通信システム100の一例を示す。ワイヤレス通信システム100は、基地局105と、UE115と、コアネットワーク130とを含む。いくつかの例では、ワイヤレス通信システム100は、ロングタームエボリューション(LTE)ネットワーク、LTEアドバンスト(LTE-A)ネットワーク、LTE-A Proネットワーク、またはニューラジオ(NR)ネットワークであり得る。いくつかの場合、ワイヤレス通信システム100は、拡張ブロードバンド通信、超高信頼(たとえば、ミッションクリティカル)通信、低レイテンシ通信、または低コストで低複雑度のデバイスとの通信をサポートし得る。
【００３３】
基地局105は、1つまたは複数の基地局アンテナを介してUE115とワイヤレス通信し得る。本明細書で説明する基地局105は、基地トランシーバ局、無線基地局、アクセスポイント、無線トランシーバ、ノードB、eノードB(eNB)、次世代ノードBもしくはギガノードB(そのいずれもgNBと呼ばれることがある)、ホームノードB、ホームeノードB、または何らかの他の適切な用語を含み得るか、または当業者によってそのように呼ばれることがある。ワイヤレス通信システム100は、異なるタイプの基地局105(たとえば、マクロセル基地局またはスモールセル基地局)を含み得る。本明細書で説明するUE115は、マクロeNB、スモールセルeNB、gNB、中継基地局などを含む、様々なタイプの基地局105およびネットワーク機器と通信することが可能であり得る。
【００３４】
各基地局105は、様々なUE115との通信がサポートされる特定の地理的カバレージエリア110に関連付けられ得る。各基地局105は、通信リンク125を介してそれぞれの地理的カバレージエリア110に通信カバレージを提供することができ、基地局105とUE115との間の通信リンク125は、1つまたは複数のキャリアを利用することができる。ワイヤレス通信システム100の中に示されている通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００３５】
基地局105のための地理的カバレージエリア110は、地理的カバレージエリア110の一部分のみを構成するセクタに分割されることがあり、各セクタはセルに関連付けられることがある。たとえば、各基地局105は、マクロセル、スモールセル、ホットスポット、もしくは他のタイプのセル、またはそれらの様々な組合せに通信カバレージを提供し得る。いくつかの例では、基地局105は可動であり、したがって、移動する地理的カバレージエリア110に通信カバレージを提供し得る。いくつかの例では、異なる技術に関連付けられた異なる地理的カバレージエリア110は重複することがあり、異なる技術に関連付けられた重複する地理的カバレージエリア110は、同じ基地局105によって、または異なる基地局105によってサポートされることがある。ワイヤレス通信システム100は、たとえば、異なるタイプの基地局105が様々な地理的カバレージエリア110にカバレージを提供する、異種LTE/LTE-A/LTE-A ProまたはNRネットワークを含み得る。
【００３６】
「セル」という用語は、(たとえば、キャリアを介した)基地局105との通信に使用される論理通信エンティティを指し、同じまたは異なるキャリアを介して動作する近隣セルを区別するための識別子(たとえば、物理セル識別子(PCID)、仮想セル識別子(VCID))に関連付けられ得る。いくつかの例では、キャリアは複数のセルをサポートすることができ、異なるセルは、異なるタイプのデバイスにアクセスを提供し得る異なるプロトコルタイプ(たとえば、マシンタイプ通信(MTC)、狭帯域モノのインターネット(NB-IoT)、拡張モバイルブロードバンド(eMBB)、または他のもの)に従って構成され得る。いくつかの場合、「セル」という用語は、論理エンティティが動作する地理的カバレージエリア110の一部分(たとえば、セクタ)を指すことがある。
【００３７】
UE115は、ワイヤレス通信システム100全体にわたって分散されることがあり、各UE115は、固定またはモバイルであり得る。UE115は、モバイルデバイス、ワイヤレスデバイス、リモートデバイス、ハンドヘルドデバイス、もしくは加入者デバイス、または何らかの他の適切な用語で呼ばれることもあり、「デバイス」は、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなどのパーソナル電子デバイスであり得る。いくつかの例では、UE115はまた、ワイヤレスローカルループ(WLL)局、モノのインターネット(IoT)デバイス、あらゆるモノのインターネット(IoE)デバイス、またはMTCデバイスなどを指すことがあり、これらは、アプライアンス、車両、メーターなどの様々な物品において実装され得る。
【００３８】
MTCデバイスまたはIoTデバイスなどのいくつかのUE115は、低コストまたは低複雑度のデバイスであってもよく、マシン間の自動化された通信を(たとえば、マシンツーマシン(M2M)通信を介して)提供し得る。M2M通信またはMTCは、人間が介在することなく、デバイスが互いとまたは基地局105と通信することを可能にするデータ通信技術を指すことがある。いくつかの例では、M2M通信またはMTCは、センサーまたはメーターを組み込んで情報を測定またはキャプチャし、その情報を利用することができる中央サーバもしくはアプリケーションプログラムにその情報を中継するか、またはプログラムもしくはアプリケーションと対話する人間にその情報を提示するデバイスからの通信を含み得る。いくつかのUE115は、情報を収集するか、またはマシンの自動化された挙動を可能にするように設計され得る。MTCデバイスのための適用の例は、スマートメータリング、インベントリ監視、水位監視、機器監視、ヘルスケア監視、野生生物監視、天候および地質学的事象監視、フリート管理および追跡、リモートセキュリティ検知、物理的アクセス制御、ならびにトランザクションベースのビジネスの課金を含む。
【００３９】
いくつかのUE115は、半二重通信などの、電力消費を低減する動作モード(たとえば、送信または受信を介した一方向通信をサポートするが、送信および受信を同時にサポートしないモード)を採用するように構成され得る。いくつかの例では、半二重通信は、低減されたピークレートで実行され得る。UE115のための他の電力節約技法は、アクティブな通信に関与していないときに節電「ディープスリープ」モードに入ること、または(たとえば、狭帯域通信に従って)限られた帯域幅にわたって動作することを含む。いくつかの場合、UE115は、クリティカル機能(たとえば、ミッションクリティカル機能)をサポートするように設計されることがあり、ワイヤレス通信システム100は、これらの機能のために超高信頼通信を提供するように構成されることがある。
【００４０】
いくつかの場合、UE115はまた、(たとえば、ピアツーピア(P2P)またはデバイスツーデバイス(D2D)プロトコルを使用して)他のUE115と直接通信することが可能であり得る。D2D通信を利用する、あるグループのUE115のうちの1つまたは複数は、基地局105の地理的カバレージエリア110内にあり得る。そのようなグループの中の他のUE115は、基地局105の地理的カバレージエリア110の外にあるか、または場合によっては基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105は、D2D通信のためのリソースのスケジューリングを円滑にする。他の場合、D2D通信は、基地局105の関与なしにUE115間で行われる。
【００４１】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134を介して(たとえば、X2または他のインターフェースを介して)、直接(たとえば、基地局105間で直接)または間接的に(たとえば、コアネットワーク130を介して)のいずれかで互いと通信し得る。
【００４２】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、発展型パケットコア(EPC)であってもよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCに関連付けられた基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスへのアクセスを含み得る。
【００４３】
基地局105などのネットワークデバイスのうちの少なくともいくつかは、アクセスネットワークエンティティなどの副コンポーネントを含んでもよく、アクセスネットワークエンティティは、アクセスノードコントローラ(ANC)の一例であり得る。各アクセスネットワークエンティティは、無線ヘッド、スマート無線ヘッド、または送信/受信ポイント(TRP)と呼ばれることがある、いくつかの他のアクセスネットワーク送信エンティティを通じてUE115と通信し得る。いくつかの構成では、各アクセスネットワークエンティティまたは基地局105の様々な機能は、様々なネットワークデバイス(たとえば、無線ヘッドおよびアクセスネットワークコントローラ)にわたって分散されるか、または単一のネットワークデバイス(たとえば、基地局105)に統合されることがある。
【００４４】
ワイヤレス通信システム100は、典型的には300MHzから300GHzの範囲内の、1つまたは複数の周波数帯域を使用して動作し得る。一般に、300MHzから3GHzまでの領域は、極超短波(UHF:ultra-high frequency)領域またはデシメートル帯域として知られているが、これは、波長がおよそ1デシメートルから1メートルまでの長さに及ぶからである。UHF波は、建物および環境特性によって遮断されるかまたは方向変換されることがある。しかしながら、これらの波は、マクロセルが屋内に位置するUE115にサービスを提供するのに十分に構造を貫通し得る。UHF波の送信は、300MHzを下回るスペクトルの短波(HF:high frequency)または超短波(VHF:very high frequency)部分のより低い周波数およびより長い波を使用する送信と比較して、より小型のアンテナおよびより短い距離(たとえば、100km未満)に関連付けられ得る。
【００４５】
ワイヤレス通信システム100はまた、センチメートル帯域としても知られている、3GHzから30GHzまでの周波数帯域を使用するセンチメートル波(SHF:super high frequency)領域において動作し得る。SHF領域は、他のユーザからの干渉を許容することができるデバイスによって機会主義的に使用され得る、5GHz産業科学医療用(ISM)帯域などの帯域を含む。
【００４６】
ワイヤレス通信システム100はまた、ミリメートル帯域としても知られている、(たとえば、30GHzから300GHzまでの)スペクトルの極高周波(EHF:extremely high frequency)領域において動作し得る。いくつかの例では、ワイヤレス通信システム100は、UE115と基地局105との間のミリメートル波(mmW)通信をサポートすることができ、それぞれのデバイスのEHFアンテナは、UHFアンテナよりもさらに小さく、間隔がより密であってもよい。いくつかの場合、これは、UE115内のアンテナアレイの使用を容易にし得る。しかしながら、EHF送信の伝搬は、SHF送信またはUHF送信よりもさらに大きい大気減衰を受け、距離がより短いことがある。本明細書で開示する技法は、1つまたは複数の異なる周波数領域を使用する送信にわたって採用されることがあり、これらの周波数領域にわたる帯域の指定された使用は、国または規制団体によって異なることがある。
【００４７】
いくつかの場合、ワイヤレス通信システム100は、認可無線周波数スペクトル帯域と無認可無線周波数スペクトル帯域の両方を利用し得る。たとえば、ワイヤレス通信システム100は、5GHz ISM帯域などの無認可帯域において、ライセンス補助アクセス(LAA:License Assisted Access)、LTE無認可(LTE-U:LTE-Unlicensed)無線アクセス技術、またはNR技術を採用し得る。無認可無線周波数スペクトル帯域において動作するとき、基地局105およびUE115などのワイヤレスデバイスは、データを送信する前に周波数チャネルがクリアであることを保証するために、リッスンビフォアトーク(LBT:listen-before-talk)手順を採用し得る。いくつかの場合、無認可帯域における動作は、認可帯域において動作するCCとともにCA構成に基づき得る(たとえば、LAA)。無認可スペクトルにおける動作は、ダウンリンク送信、アップリンク送信、ピアツーピア送信、またはこれらの組合せを含み得る。無認可スペクトルにおける複信は、周波数分割複信(FDD)、時分割複信(TDD)、またはその両方の組合せに基づき得る。
【００４８】
いくつかの例では、基地局105またはUE115は、複数のアンテナを装備することがあり、これらのアンテナは、送信ダイバーシティ、受信ダイバーシティ、多入力多出力(MIMO)通信、またはビームフォーミングなどの技法を採用するために使用され得る。たとえば、ワイヤレス通信システム100は、送信デバイス(たとえば、基地局105)と受信デバイス(たとえば、UE115)との間の送信方式を使用してもよく、ここで、送信デバイスは複数のアンテナを装備し、受信デバイスは1つまたは複数のアンテナを装備する。MIMO通信は、異なる空間レイヤを介して複数の信号を送信または受信することによってスペクトル効率を高めるためにマルチパス信号伝搬を採用することがあり、これは空間多重化と呼ばれることがある。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームに関連付けられたビットを搬送することがある。異なる空間レイヤは、チャネル測定および報告に使用される異なるアンテナポートに関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００４９】
空間フィルタリング、指向性送信、または指向性受信と呼ばれることもあるビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る信号処理技法である。ビームフォーミングは、アンテナアレイに対して特定の配向で伝搬する信号が強め合う干渉を受け、他の信号が弱め合う干渉を受けるように、アンテナアレイのアンテナ要素を介して通信される信号を結合することによって達成され得る。アンテナ要素を介して通信される信号の調整は、送信デバイスまたは受信デバイスが、デバイスに関連付けられたアンテナ要素の各々を介して搬送される信号に一定の振幅オフセットおよび位相オフセットを適用することを含み得る。アンテナ要素の各々に関連付けられた調整は、(たとえば、送信デバイスもしくは受信デバイスのアンテナアレイに対する、または何らかの他の配向に対する)特定の配向に関連付けられたビームフォーミング重みセットによって定義され得る。
【００５０】
一例では、基地局105は、UE115との指向性通信のためのビームフォーミング動作を行うために、複数のアンテナまたはアンテナアレイを使用し得る。たとえば、いくつかの信号(たとえば、同期信号、基準信号、ビーム選択信号、または他の制御信号)は、基地局105によって異なる方向に複数回送信されることがあり、このことは、信号が送信の異なる方向に関連付けられた異なるビームフォーミング重みセットに従って送信されることを含み得る。異なるビーム方向における送信は、基地局105による後続の送信および/または受信のためのビーム方向を(たとえば、基地局105またはUE115などの受信デバイスによって)識別するために使用され得る。特定の受信デバイスに関連付けられたデータ信号などのいくつかの信号は、基地局105によって単一のビーム方向(たとえば、UE115などの受信デバイスに関連付けられた方向)に送信され得る。いくつかの例では、単一のビーム方向に沿った送信に関連付けられたビーム方向は、異なるビーム方向に送信された信号に少なくとも部分的に基づいて決定され得る。たとえば、UE115は、基地局105によって異なる方向に送信された信号のうちの1つまたは複数を受信することがあり、UE115は、UE115が最高の信号品質またはさもなければ許容可能な信号品質で受信した信号の指示を基地局105に報告することがある。これらの技法について、基地局105によって1つまたは複数の方向に送信される信号を参照しながら説明するが、UE115は、(たとえば、UE115による後続の送信または受信のためのビーム方向を識別するために)信号を異なる方向に複数回送信するための、または(たとえば、データを受信デバイスに送信するために)信号を単一の方向に送信するための同様の技法を採用し得る。
【００５１】
受信デバイス(たとえば、mmW受信デバイスの一例であり得るUE115)は、同期信号、基準信号、ビーム選択信号、または他の制御信号などの様々な信号を基地局105から受信するとき、複数の受信ビームを試みることができる。たとえば、受信デバイスは、異なるアンテナサブアレイを介して受信することによって、異なるアンテナサブアレイに従って受信信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って受信信号を処理することによって、複数の受信方向を試みることができ、それらのいずれも、異なる受信ビームまたは受信方向に従った「リスニング」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向に従ったリスニングに基づいて決定されたビーム方向(たとえば、複数のビーム方向に従ったリスニングに少なくとも部分的に基づいて、最高の信号強度、最高の信号対雑音比、またはさもなければ許容可能な信号品質を有すると決定されたビーム方向)に整合され得る。
【００５２】
いくつかの場合、基地局105またはUE115のアンテナは、MIMO動作をサポートし得るか、ビームフォーミングを送信もしくは受信し得る、1つまたは複数のアンテナアレイ内に位置し得る。たとえば、1つまたは複数の基地局アンテナまたはアンテナアレイは、アンテナタワーなどのアンテナアセンブリにコロケートされ得る。いくつかの場合、基地局105に関連付けられたアンテナまたはアンテナアレイは、多様な地理的ロケーションに位置し得る。基地局105は、基地局105がUE115との通信のビームフォーミングをサポートするために使用し得るアンテナポートのいくつかの行および列を有するアンテナアレイを有し得る。同様に、UE115は、様々なMIMO動作またはビームフォーミング動作をサポートし得る1つまたは複数のアンテナアレイを有し得る。
【００５３】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するためにパケットセグメント化および再アセンブリを実行し得る。媒体アクセス制御(MAC)レイヤは、優先度処理、およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤは、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００５４】
いくつかの場合、UE115および基地局105は、データの受信に成功する尤度を高めるために、データの再送信をサポートし得る。HARQフィードバックは、データが通信リンク125を介して正確に受信される尤度を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)でのMACレイヤにおけるスループットを改善し得る。いくつかの場合、ワイヤレスデバイスは、デバイスが特定のスロット内の前のシンボルにおいて受信されたデータに対してそのスロット内でHARQフィードバックを提供し得る、同一スロットHARQフィードバックをサポートし得る。他の場合、デバイスは、後続のスロットにおいて、または何らかの他の時間間隔に従ってHARQフィードバックを提供し得る。
【００５５】
LTEまたはNRにおける時間間隔は、たとえば、Ts=1/30,720,000秒のサンプリング周期を指すことがある、基本時間単位の倍数で表され得る。通信リソースの時間間隔は、10ミリ秒(ms)の持続時間を各々が有する無線フレームに従って編成されることがあり、ここで、フレーム期間は、Tf=307,200Tsとして表され得る。無線フレームは、0から1023に及ぶシステムフレーム番号(SFN)によって識別され得る。各フレームは、0から9の番号を付けられた10個のサブフレームを含んでもよく、各サブフレームは、1msの持続時間を有し得る。サブフレームは、0.5msの持続時間を各々が有する2つのスロットにさらに分割されてもよく、各スロットは、(たとえば、各シンボル期間にプリペンドされたサイクリックプレフィックスの長さに応じて)6個または7個の変調シンボル期間を含み得る。サイクリックプレフィックスを除いて、各シンボル期間は2048個のサンプリング周期を含み得る。いくつかの場合、サブフレームは、ワイヤレス通信システム100の最小のスケジューリング単位であってもよく、送信時間間隔(TTI)と呼ばれることがある。他の場合、ワイヤレス通信システム100の最小のスケジューリング単位は、サブフレームよりも短くてもよく、または(たとえば、短縮TTI(sTTI)のバーストの中で、またはsTTIを使用する選択されたコンポーネントキャリアの中で)動的に選択されてもよい。
【００５６】
いくつかのワイヤレス通信システムでは、スロットは、1つまたは複数のシンボルを含む複数のミニスロットにさらに分割され得る。いくつかの事例では、ミニスロットのシンボルまたはミニスロットは、スケジューリングの最小単位であり得る。各シンボルは、たとえば、サブキャリア間隔または動作の周波数帯域に応じて、持続時間の点で異なり得る。さらに、いくつかのワイヤレス通信システムは、複数のスロットまたはミニスロットが一緒にアグリゲートされ、UE115と基地局105との間の通信に使用される、スロットアグリゲーションを実装し得る。
【００５７】
「キャリア」という用語は、通信リンク125を介した通信をサポートするための定義された物理レイヤ構造を有する無線周波数スペクトルリソースのセットを指す。たとえば、通信リンク125のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、事前定義された周波数チャネル(たとえば、E-UTRA絶対無線周波数チャネル番号(EARFCN))に関連付けられることがあり、UE115による発見のためにチャネルラスタに従って配置されることがある。キャリアは、(たとえば、FDDモードでは)ダウンリンクもしくはアップリンクであってもよく、または(たとえば、TDDモードでは)ダウンリンク通信およびアップリンク通信を搬送するように構成されてもよい。いくつかの例では、キャリアを介して送信される信号波形は、(たとえば、OFDMまたはDFT-s-OFDMなどのマルチキャリア変調(MCM)技法を使用して)複数のサブキャリアから構成され得る。
【００５８】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々は、ユーザデータ、ならびにユーザデータの復号をサポートするための制御情報またはシグナリングを含み得る。キャリアはまた、専用の収集シグナリング(たとえば、同期信号またはシステム情報など)と、そのキャリアに対する動作を協調させる制御シグナリングとを含み得る。いくつかの例では(たとえば、キャリアアグリゲーション構成)では、キャリアはまた、収集シグナリング、または他のキャリアに対する動作を協調させる制御シグナリングを有し得る。
【００５９】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用して、ダウンリンクキャリア上で多重化され得る。いくつかの例では、物理制御チャネルにおいて送信される制御情報は、カスケード方式で異なる制御領域の間(たとえば、共通制御領域または共通探索空間セットと1つまたは複数のUE固有制御領域またはUE固有探索空間セットとの間)で分散され得る。
【００６０】
キャリアは、無線周波数スペクトルの特定の帯域幅に関連付けられることがあり、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアのためのいくつかの所定の帯域幅(たとえば、1.4、3、5、10、15、20、40、または80MHz)のうちの1つであり得る。いくつかの例では、サービスされる各UE115は、キャリア帯域幅の部分またはすべてにわたって動作するために構成され得る。他の例では、いくつかのUE115は、キャリア内の事前定義された部分または範囲(たとえば、サブキャリアまたはRBのセット)に関連付けられた狭帯域プロトコルタイプを使用する動作(たとえば、狭帯域プロトコルタイプの「帯域内」展開)のために構成され得る。
【００６１】
MCM技法を採用するシステムでは、リソース要素は、1つのシンボル期間(たとえば、1つの変調シンボルの持続時間)および1つのサブキャリアからなることがあり、ここで、シンボル期間およびサブキャリア間隔は、逆関係にある。各リソース要素によって搬送されるビットの数は、変調方式(たとえば、変調方式の次数)に依存し得る。したがって、UE115が受信するリソース要素が多いほど、かつ変調方式の次数が高いほど、UE115に対するデータレートは高くなり得る。MIMOシステムでは、ワイヤレス通信リソースは、無線周波数スペクトルリソース、時間リソース、および空間リソース(たとえば、空間レイヤ)の組合せを指すことがあり、複数の空間レイヤの使用は、UE115との通信のためのデータレートをさらに増大し得る。
【００６２】
ワイヤレス通信システム100のデバイス(たとえば、基地局105またはUE115)は、特定のキャリア帯域幅を介した通信をサポートするハードウェア構成を有し得るか、またはあるセットのキャリア帯域幅のうちの1つを介した通信をサポートするように構成可能であり得る。いくつかの例では、ワイヤレス通信システム100は、2つ以上の異なるキャリア帯域幅に関連付けられたキャリアを介した同時通信をサポートすることができる基地局105および/またはUEを含み得る。
【００６３】
ワイヤレス通信システム100は、複数のセルまたはキャリア上でのUE115との通信、キャリアアグリゲーション(CA)またはマルチキャリア動作と呼ばれることがある特徴をサポートし得る。UE115は、キャリアアグリゲーション構成に従って、複数のダウンリンクCCおよび1つまたは複数のアップリンクCCで構成され得る。キャリアアグリゲーションは、FDDコンポーネントキャリアとTDDコンポーネントキャリアの両方とともに使用され得る。いくつかの場合、ワイヤレス通信システム100は、拡張コンポーネントキャリア(eCC)を利用し得る。eCCは、より広いキャリアまたは周波数チャネル帯域幅、より短いシンボル持続時間、より短いTTI持続時間、または修正された制御チャネル構成を含む、1つまたは複数の特徴によって特徴づけられ得る。いくつかの場合、eCCは、(たとえば、複数のサービングセルが準最適または非理想なバックホールリンクを有するとき)キャリアアグリゲーション構成またはデュアル接続性構成に関連付けられ得る。eCCはまた、(たとえば、2つ以上の事業者がスペクトルを使用することを許可された場合)無認可スペクトルまたは共有スペクトルにおいて使用するために構成され得る。広いキャリア帯域幅によって特徴づけられるeCCは、全キャリア帯域幅を監視することが可能ではないか、またはさもなければ(たとえば、電力を節約するために)限られたキャリア帯域幅を使用するように構成されるUE115によって利用され得る、1つまたは複数のセグメントを含み得る。
【００６４】
いくつかの場合、eCCは、他のCCのシンボル持続時間と比較して短縮されたシンボル持続時間の使用を含み得る、他のCCとは異なるシンボル持続時間を利用し得る。より短いシンボル持続時間は、隣接するサブキャリア間の間隔の増大に関連付けられ得る。eCCを利用する、UE115または基地局105などのデバイスは、短縮されたシンボル持続時間(たとえば、16.67マイクロ秒)において広帯域信号を(たとえば、周波数チャネルまたは20、40、60、80MHzなどのキャリア帯域幅に従って)送信し得る。eCCにおけるTTIは、1つまたは複数のシンボル期間からなり得る。いくつかの場合、TTI持続時間(すなわち、TTIの中のシンボル期間の数)は可変であり得る。
【００６５】
NRシステムなどのワイヤレス通信システムは、特に、認可スペクトル帯域、共有スペクトル帯域、および無認可スペクトル帯域の任意の組合せを利用し得る。eCCシンボル持続時間およびサブキャリア間隔の柔軟性により、複数のスペクトルにわたるeCCの使用が可能になり得る。いくつかの例では、NR共有スペクトルは、特にリソースの動的な(たとえば、周波数にわたる)垂直方向および(たとえば、時間にわたる)水平方向の共有を通じて、スペクトル利用率およびスペクトル効率を高め得る。
【００６６】
基地局105は、第1のTTIにおけるUE115に送信されるべきPDSCH用の周波数リソースを識別してもよい。いくつかの場合、基地局105は、UE115に、第2のTTIにおける制御チャネル探索空間セット用の構成情報を送信してもよい。第2のTTIは第1のTTIに先行してもよい。構成情報は、PDSCH用の識別された周波数リソースを示すために制御チャネル探索空間セットにおいて送られるべきPDCCH送信の不在の指示と、制御チャネル探索空間セット用の周波数リソースのセットとを含み得る。いくつかの場合、基地局105は、RRCシグナリングを使用して、制御チャネル探索空間セット用の構成情報を送信してもよい。構成情報は、coreset構成、または、coreset構成のリソースに対応する識別された時間リソース、周波数リソース、もしくは両方のリソース、または、coreset構成とリソースの両方を含み得る。UE115は、第1のTTIにおける制御チャネル探索空間セット用の構成情報を受信し、第1のTTIにおける制御チャネル探索空間セット用の時間および/または周波数リソースのセットと、制御チャネル探索空間セットにおいて送られるべきPDCCH送信の不在の指示とに少なくとも部分的に基づいて、第2のTTIにおけるPDSCH用に割り振られた周波数リソースを識別してもよい。UE115は、PDCCH送信の不在の指示(たとえば、PDCCH候補の数がゼロであるという指示)を受信したことに基づいて、制御チャネル探索空間セットにおいてブラインド復号を実行することを控えてもよい。いくつかの場合、基地局105は、DCIのフィールドにおいて、送信構成指示(TCI)状態を送信してもよい。TCI状態は、UE115が受信し得るビーム指示の空間擬似コロケーション(QCL)パラメータを含む。
【００６７】
基地局105は、PDSCH用の識別された周波数リソースを使用して、第1のTTIにおけるPDSCH送信をUE115に送信しても(よく、UE115は、PDSCH送信を受信しても)よい。いくつかの場合、基地局105は、PDSCH送信のスケジューリングオフセットがしきい値よりも大きいこと、またはしきい値よりも大きいかもしくはそれに等しいことに少なくとも部分的に基づいて、識別された周波数リソースに対応するビームを使用して、第1のTTIにおけるPDSCH送信を送信しても(よく、UE115は、PDSCH送信を受信しても)よい。代替的に、基地局105は、PDSCH送信のスケジューリングオフセットがしきい値よりも小さいこと、またはしきい値よりも小さいかもしくはそれに等しいことに少なくとも部分的に基づいて、第1のビームを使用して第1のTTIにおけるPDSCH送信を送信しても(よく、UE115は、PDSCH送信を受信しても)よい。第1のビームは、識別された周波数リソースに対応する第2のビームとは異なってもよい。
【００６８】
図2は、本開示の様々な態様による、ビーム指示用の仮想探索空間セットをサポートするワイヤレス通信システム200の一例を示す。いくつかの例では、ワイヤレス通信システム200は、ワイヤレス通信システム100の態様を実装し得る。ワイヤレス通信システム200は、図1を参照しながら説明した対応するデバイスの例であり得る、基地局205およびUE215を含み得る。ワイヤレス通信システム200はまた、第5世代(5G)ニューラジオ(NR)RATなどの無線アクセス技術(RAT)に従って動作し得るが、本明細書で説明する技法は、任意のRATに、およびビームフォーミングされた送信をサポートする2つ以上の異なるRATを同時に使用し得るシステムに適用され得る。ワイヤレス通信システム200のいくつかの例は、オーバーヘッドを低減し、物理チャネル(たとえば、PDCCH)の不要なブラインド復号を減少させるために、1つまたは複数の仮想探索空間セットをサポートし得る。
【００６９】
基地局205は、UE215とのRRC手順(たとえば、セル収集手順、ランダムアクセス手順、RRC接続手順、RRC構成手順)を実行してもよい。基地局205は、指向性またはビームフォーミングされた送信(たとえば、ビームフォーミングされた通信ビーム220-a〜220-g)に使用され得る複数のアンテナで構成されてもよい。いくつかの例では、RRC手順は、ビーム掃引手順を含み得る。図2に示すように、基地局205は、いくつかのビームフォーミングされた通信ビーム220-a〜220-gをカバレージエリア内の異なる方向に送信してもよい。
【００７０】
RRC手順の一部として、基地局205およびUE215は、基地局205がUE215用のリソース(たとえば、時間および周波数リソース)をスケジュールし、割り振る前に同期してもよい。基地局205は、同期のために、キャリア帯域幅に関連付けられた1つまたは複数の同期信号を送信してもよい。同期信号は、たとえば、1次同期信号および2次同期信号を含み得る。通信のための適切な通信ビーム220を決定するために、基地局205は、ビーム掃引パターンに従って、1つまたは複数の送信225において1つまたは複数の同期信号を送信してもよい。いくつかの場合、UE215は、基地局205と時間同期されてもよく、スロット、TTI、短縮TTI(s-TTI)、サブフレームまたはフレームなどの間に1つまたは複数の送信225を受信することが可能であってもよい。
【００７１】
基地局205は、ビームフォーミングされた送信(たとえば、ビームフォーミングされた通信ビーム220-a)を介した送信225用のリソースをスケジュールし、UE215に割り振ってもよい。たとえば、基地局205は、制御情報のダウンリンク送信用のリソースをスケジュールし、割り振ってもよい。基地局205は、いくつかの場合、PDCCH上でのUE215への制御情報(たとえば、DCI)の送信用のcoresetおよび探索空間セットを構成してもよい。探索空間セットはcoresetを指すことがあり、coresetはcoresetの識別子(たとえば、coreset-ID)に基づいて識別され得る。探索空間セットは、所与のスロット(たとえば、TTI、s-TTI)内で制御情報を送信するために使用される任意のリソース(たとえば、リソース要素のグループ、リソース要素グループなどの時間および周波数リソース)を指すことがある。
【００７２】
スロットは、基地局205がUE215に割り振り得るシステム帯域幅に対応し得るリソースグリッドの一部であってもよく、いくつかの場合、リソースグリッドは、時間的に無期限に続いてもよい。情報は、リソースグリッドを使用して、周波数ならびに時間に応じて編成され得る。リソースグリッドにおけるリソース要素は、1つのサブキャリアごとに1つのシンボルにまたがってもよい。各リソース要素は、2つ、4つ、または6つの物理チャネルビットを搬送してもよい。リソース要素は、リソースブロック(RB)にグループ化されてもよく、リソースブロック(RB)の各々は、たとえば、180kHz(たとえば、12個のサブキャリア)という特定の周波数範囲にまたがってもよい。基地局205は、対応するRBの単位で各スロット内のシンボルおよびサブキャリアをUE215に割り振ることによって、RBをUE215に割り振ってもよい。各スロットは、いくつかのシンボル期間(たとえば、14個の変調シンボル期間)(たとえば、OFDMシンボル)およびある帯域幅内のいくつかのサブキャリアにまたがってもよい。
【００７３】
coresetは、周波数領域において複数のRBにまたがってもよく、時間領域においていくつかの変調シンボル期間にまたがってもよい。coresetは、いくつかのCCEに分割されてもよく、制御情報の送信のためのいくつかの異なるアグリゲーションレベルをサポートしてもよい。各アグリゲーションレベルは、PDCCH候補用に割り振られたCCEの数に対応し得る。たとえば、4のアグリゲーションレベルは、基地局205がcoresetの4つのCCEの倍数単位でそのアグリゲーションレベルの制御情報を送信することを示し得る。4つのCCEの長さのセグメント内に含まれるこの制御情報は、探索候補またはPDCCH復号候補と呼ばれることがある。いくつかの場合、複数のcoresetは、スロット用に構成され得る。基地局205は、異なるアグリゲーションレベルについて探索候補(たとえば、PDCCH復号候補)において探索空間セット内のDCIを送信してもよい。UE215は、探索候補(たとえば、PDCCH復号候補)について探索空間セットを監視してもよく、PDCCH候補のためのブラインド復号を実行してもよく、その間に、UE215は、DCIを検出するまで、探索空間セットにおいて複数の復号試行を実施してもよい。いくつかの例では、PDCCH上で搬送されたDCIは、PDSCH送信用のリソース(たとえば、時間および周波数リソース)のスケジュールおよび割振りを含み得る。
【００７４】
UE215は、探索空間構成情報で事前構成されてもよい。いくつかの場合、基地局205は、探索空間セットに関連付けられた構成情報をUE215に送信してもよい。構成情報は、上位レイヤシグナリング(たとえば、RRCシグナリング)を介してUE215に示されるRRCパラメータを含み得る。RRCパラメータは、TCIがDCI内に存在するかどうかの指示を含み得る。いくつかの例では、基地局205は、(たとえば、ビーム指示用の空間QCLパラメータを含む)QCL指示についてのUE215用の複数のTCI状態を構成してもよい。たとえば、RRCパラメータTCI-PresentInDCIが、PDSCH送信をスケジュールするcoresetに対して「有効(enabled)」として設定される場合、UE215は、TCIフィールドがcoreset上で送信されるPDCCHのDCI内に常に存在すると想定してもよい。代替的に、パラメータTCI-PresentInDCIがPDSCHをスケジュールするcoresetに対して「無効(disabled)」として設定される場合、UE215は、PDSCH用のTCI状態がPDCCH送信に使用されるcoresetに適用されるTCI状態と同一であると想定してもよい。
【００７５】
そのような場合、パラメータTCI-PresentInDCIが「有効」として設定される場合、UE215は、PDSCH受信用の指向性またはビームフォーミングされたビーム(たとえば、ビームフォーミングされた通信ビーム220-a〜220-g)を選択するためのDCIを有するPDCCHにおいて検出されたTCIフィールドの値に従って、TCI状態を使用してもよい。いくつかの例では、TCI-PresentInDCIが「有効」である場合とTCI-PresentInDCIが「無効」である場合の両方について、スケジューリングオフセットk0がしきい値よりも小さい場合、UE215は、1つまたは複数のcoresetがUE215用に構成される最新のスロット内の最も低いcoreset-IDのPDCCH QCL指示に使用されるTCI状態に基づいて、指向性またはビームフォーミングされたビームを使用してもよい。代替的に、UE215は、DCIの受信と対応するPDSCHの受信との間のオフセットk0がしきい値に等しいかまたはそれよりも大きい場合、DCIにおいて示されるTCI状態によって与えられたPDSCH用の指向性またはビームフォーミングされたビームを使用してもよい。しかしながら、(たとえば、半永続的スケジューリングにおける)スケジューリングPDCCHがないいくつかのPDSCH送信の場合、最近のcoresetからのデフォルトの指向性またはビームフォーミングされたビームは、(たとえば、探索空間セット監視周期が非常に大きい(構成されたしきい値よりも大きい周期)とき)無効であることがある。しかしながら、基地局205に、デフォルトのビーム指示用の小さい周期(構成されたしきい値よりも小さい周期)を有する複数の探索空間セットを構成させることは、UE215のためのPDCCHブラインド復号のオーバーヘッドを不必要に増大する場合がある。
【００７６】
基地局205は、UE215用の仮想探索空間セットを構成してもよい。ワイヤレス通信システム200は、少なくとも仮想探索空間セット構成用のゼロ個のPDCCH候補をサポートし得る。仮想探索空間セットは、PDSCHビーム指示用に定義および使用される探索空間セットの1つのタイプであり得る。いくつかの場合、ワイヤレス通信システム200は、探索空間セットの別個のセットを構成してもよい。たとえば、第1のセットはいくつかの仮想探索空間セットを含んでもよく、第2のセットはいくつかの通常の探索空間セットを含んでもよい。UEのブラインド復号オーバーヘッドを制限するために、帯域幅パート(BWP)ごとの通常の探索空間セットの数が限られることがある。しかしながら、基地局205によって構成される仮想探索空間セットは、UE215のためのブラインド復号のオーバーヘッドを増大しないことがあり、仮想探索空間セットの数は、通常の探索空間セットの数よりもはるかに多いことがある。
【００７７】
本明細書で説明する仮想探索空間セットは、PDCCH候補がない(たとえば、いかなるPDCCH候補も含まないものとして示された)探索空間セットを指すことがある。したがって、UE215が仮想探索空間セットで構成される場合、UE215は、探索空間セット内でのPDCCH送信を期待しないことがあり、したがって、仮想探索空間セットにおけるブラインド復号を実行することを控えることがある。実際のPDCCH送信がないので、仮想探索空間セットに関連付けられた時間/周波数リソースは、PDSCHおよび/または基準信号などの他の送信によって再利用されてもよい。いくつかの場合、基地局205は、仮想探索空間セットを構成するために既存の探索空間セット構成を再利用してもよい。たとえば、基地局205は、いくつかまたはすべてのアグリゲーションレベルについてPDCCH候補の数(nrofCandidates)をゼロに設定することによって、既存の探索空間セット構成を再構成してもよい。加えて、基地局205は、仮想探索空間セットを構成するために、いくつかの既存の探索空間セット構成パラメータを使用しないことがある。
【００７８】
基地局205は、仮想探索空間セット構成を示すためのRRCパラメータを構成または再構成してもよい。たとえば、基地局205は、最新の変調シンボル期間(たとえば、OFDMシンボル)でUE215用に構成された探索空間セット(たとえば、仮想または通常のいずれか)を含むいくつかのcoresetの中の最も低いインデックスが付けられたcoresetのPDCCH QCL指示のためにTCI状態を使用してもよい。したがって、最新のスロットを有するcoresetのTCI状態を適用するのではなく、UE215は、最新のOFDMシンボルを有するcoresetのTCI状態を使用してもよい。いくつかの場合、PDSCH用の指向性またはビームフォーミングされたビームは、たとえば、TCI-PresentInDCIが「有効」である場合およびTCI-PresentInDCIが「無効」である場合、(たとえば、TTIまたはスロットの単位での)スケジューリングオフセットk0がしきい値オフセット(たとえば、TTIまたはスロットのしきい値数)よりも小さいとき、デフォルトのTCI状態を使用してもよい。いくつかの場合、基地局205は、半永続的スケジューリングに従ってPDSCHをスケジュールしてもよい。
【００７９】
図3は、本開示の様々な態様による、ビーム指示用の仮想探索空間セットをサポートする構成300の一例を示す。いくつかの例では、構成300は、ワイヤレス通信システム100および200の態様を実装し得る。いくつかの例では、構成300は、ビーム指示を用いた半永続的スケジューリングをサポートし得る。
【００８０】
構成300は、リソースグリッドの部分を示し得る。図3を参照すると、リソースグリッドは、基地局205がUE215に割り振り得るシステム帯域幅305に対応してもよく、リソースグリッドは、時間的に無期限に続いてもよい。情報は、リソースグリッドを使用して、周波数ならびに時間に応じて編成され得る。リソース要素は、1つのサブキャリアごとに1つのシンボルにまたがってもよい。各リソース要素は、変調コーディング方式(MCS)(たとえば、4位相シフトキーイング(QPSK)、16直交振幅変調(QAM)、64-QAMなど)に応じて、2つ、4つ、または6つの物理チャネルビットを搬送し得る。基地局205は、リソース要素をRBにグループ化してもよく、RBの各々は、特定の周波数範囲、たとえば、180kHz(たとえば、12個のサブキャリア)にまたがってもよい。加えて、基地局205は、RBの単位で各スロット310(たとえば、スロット310-a〜スロット310-g)内のシンボルおよびサブキャリアをUE215に割り振ることによって、RBをUE215に割り振ってもよい。各スロット310-a〜310-gは、システム帯域幅305内で14個の変調シンボル期間およびいくつかのサブキャリアにまたがってもよい。
【００８１】
ワイヤレス通信システムのいくつかの例(たとえば、第4世代(4G)ロングタームエボリューション(LTE))は、半永続的スケジューリングされたPDSCHの周期をRRC構成し得る。いくつかの場合、基地局205はまた、リソースを割り振り、半永続的スケジューリングされたPDSCH送信をトリガするために、半永続的スケジューリングセル無線ネットワーク一時識別子(SPS-C-RNTI:semi-persistent scheduling cell-radio network temporary identifier)を有するPDCCHを送信し得る。
【００８２】
UE215は、スロット310-cにおいて半永続的スケジューリングされたPDSCH325を受信し得る。スロット310-c内の第1の半永続的スケジューリングされたPDSCH325は、通常のPDSCHと同様の規則および手順に従い得る。スロット310-e内の第2の半永続的スケジューリングされたPDSCH325などは、半永続的スケジューリングされたPDSCH325のリソースをオーバーライドするPDCCHがない限り、デフォルトビームを使用し得る。リソースをオーバーライドするPDCCHがある場合、通常のPDSCHと同じ規則および手順がPDCCHに対して適用される。規則は、TCI-PresentInDCI指示、スケジューリングオフセットk0、およびしきい値に基づき得る。
【００８３】
スロット310-a内のcoreset315は、SPS-C-RNTIを有するPDCCH320を搬送し得る。SPS-C-RNTIを有するPDCCH320は、対応する半永続的スケジューリングされたPDSCH325のスケジューリング情報を提供するDCIを搬送し得る。DCIは、TCI-PresentInDCIが「有効」であるときのTCI状態を示すフィールドを含み得る。TCI状態は、ビーム指示の空間QCLパラメータを含み得る。いくつかの場合、スケジューリングオフセットk0がしきい値よりも大きいかまたはそれに等しい場合、スロット310-a内のPDCCH320のDCIに含まれるTCI状態は、スロット310-c内の半永続的スケジューリングされたPDSCH325に対するビーム指示を示し得る。TCI-PresentInDCIが「無効」であり、スケジューリングオフセットk0がしきい値よりも大きいかまたはそれに等しい場合、スロット310-c内の半永続的スケジューリングされたPDSCH325のTCI状態について、スロット310-a内のcoreset315に適用される同じTCI状態が想定され得る。
【００８４】
UE215用に1つまたは複数のcoresetが構成されるスロット310-c内のPDSCH325の前の最新のスロットであるスロット310-bの例では、2つのcoreset315が存在することがある。この場合、UE215は、スロット310-c内の半永続的スケジューリングされたPDSCH325に最も近いcoresetに適用されるTCI状態の指示に基づいて(すなわち、最新の/直近のOFDMシンボルを有するcoresetのTCI状態によって示される)(この場合、スロット310-bの中央部分にあるcoreset)、かつスケジューリングオフセットがしきい値よりも小さいかどうかに基づいて、PDSCH325に対するビーム指示を選択し得る。
【００８５】
UE215用に1つまたは複数のcoresetが構成されるスロット310-e内の半永続的スケジューリングされたPDSCH325の前の最新のスロットであるスロット310-dでは、UE215用に構成されたcoreset315は、いかなるPDCCHも含まないことがあり、coresetに適用されるTCI状態の指示に基づいて、スロット310-e内のPDSCH325に対するビームを示し得る。基地局205は、PDCCH320が送信用に構成されない、UE215用の仮想探索空間セットを構成し得る。基地局205は、スロット310-f内の制御チャネル探索空間セット用であり得る構成情報を生成し得る。基地局205は、RRCシグナリングを介して構成情報をUE215に送信し得る。構成情報は、(たとえば、候補PDCCH320の数が0であることを示すことによって)制御チャネル探索空間セットにおいて送られるべきPDCCH送信の不在または欠如を示し得るRRCパラメータを含み得る。いくつかの場合、構成されたcoreset330は、スロット310-fの一部であり得る。構成されたcoreset330は、仮想探索空間セットを含み得る。仮想探索空間セットは、構成されたcoreset330に適用されるTCI状態の指示に基づいて、スロット310-gの間に半永続的スケジューリングされたPDSCH325を受信するためのビーム指示を示し得る。基地局205から構成情報を受信したことに基づいて、UE215は、仮想探索空間構成に基づいたスロット310-fの間のPDCCH送信の不在または欠如の指示により、構成されたcoreset330に対してブラインド復号を実行することを控え得る。UE215は、仮想探索空間セットに関するビーム指示に対応するビームを使用して、スロット310-gの間に半永続的スケジューリングされたPDSCH325を受信し得る。UE215はまた、スロット310-fの仮想探索空間セットにおいてブラインド復号を実行することを控え得る。
【００８６】
図4は、本開示の様々な態様による、ビーム指示用の仮想探索空間セットをサポートするプロセスフロー400の一例を示す。いくつかの例では、プロセスフロー400は、ワイヤレス通信システム100および200の態様を実装し得る。基地局405およびUE415は、図1および図2を参照しながら説明した対応するデバイスの例であり得る。
【００８７】
プロセスフロー400の以下の説明では、基地局405とUE415との間の動作は、示される例示的な順序とは異なる順序で送信されることがあり、または、基地局405およびUE415によって実行される動作は、異なる順序でもしくは異なる時間に実行されることがある。いくつかの動作がプロセスフロー400から外されることもあり、または他の動作がプロセスフロー400に追加されることがある。
【００８８】
いくつかの例では、プロセスフローは、基地局405がUE415との接続を確立する(たとえば、セル収集手順、ランダムアクセス手順、RRC接続手順、RRC構成手順などを実行する)ことから開始してもよい。
【００８９】
420において、基地局405は、PDSCHを使用してUE415に送信するために使用されるべきリソースを識別してもよい。たとえば、基地局405は、第1のTTIにおけるUEに送信されるべきPDSCH用の周波数および時間リソースを識別してもよい。基地局405は、UE415用の半永続的スケジューリングに基づいてリソースを識別してもよい。UE415は、たとえば、PDCCHを介して送信された制御情報の一部として、基地局405によって半永続的スケジューリング用の構成情報を以前に提供された場合がある。
【００９０】
いくつかの例では、基地局405は、UE415と通信してもよく、PDCCHを介してDCIなどの制御送信を送ってもよい。いくつかの例では、DCIなどの制御情報は、coresetに含まれ得る。DCIは、PDSCH用のリソースをスケジュールし、割り振ってもよい。UE415は、複数の探索候補を含み得る探索空間セット内のPDCCHを監視するように構成されてもよい。いくつかの場合、探索候補は、制御チャネル候補またはPDCCH候補であり得る。さらなる場合では、各探索空間セットは、複数のCCEを含んでもよく、1つまたは複数のCCEを各々が含み得る1つまたは複数の探索候補を含んでもよい。UE415は、探索空間セットにおける1つまたは複数の探索候補を監視するように構成されてもよく、制御情報を受信するために探索候補の1つまたは複数のCCEをブラインド復号してもよい。
【００９１】
しかしながら、スケジューリングPDCCHがないいくつかのPDSCHの場合(たとえば、PDSCHの半永続的スケジューリングの場合)、最近のcoresetからのデフォルトの指向性またはビームフォーミングされたビームは古いことがある(たとえば、探索空間セット監視周期が非常に大きいとき、UE415が移動した場合があるか、またはビームのチャネル条件が時間とともに劣化した場合がある)。しかしながら、基地局405が複数の探索空間セットを構成する場合、デフォルトのビーム指示用の小さい周期を有することは、UE415のためのPDCCHブラインド復号のオーバーヘッドを不必要に増大する場合がある。基地局405は、PDCCHが送られるように構成されない、UE415用の仮想探索空間セットを構成してもよい。したがって、UE415は、仮想探索空間セットにおけるブラインド復号を控えることがある。基地局405は、仮想探索空間構成をUE415に示すためのRRCパラメータを構成または再構成してもよい。
【００９２】
425において、基地局405は、構成情報を生成してもよい。いくつかの場合、構成情報は、coreset構成と、coreset構成のリソースに対応する識別された周波数リソースとを含み得る。たとえば、基地局405は、第2のTTIにおける制御チャネル探索空間セット用であり得る構成情報を生成してもよい。第2のTTIは第1のTTIに先行してもよい。構成情報は、PDSCH用の識別された周波数リソースを示すために制御チャネル探索空間セットにおいて送られるべきPDCCH送信の不在または欠如の指示(たとえば、PDCCHの数が0であることを示すことによって)と、制御チャネル探索空間セット用の周波数リソースのセットとを含み得る。いくつかの場合、coresetに関連付けられた制御チャネル探索空間セットは、ゼロ個のPDCCH候補を含む。
【００９３】
430において、基地局405は、構成情報をUE415に送信してもよい。いくつかの場合、基地局405は、RRCシグナリングを使用して、制御チャネル探索空間セット用の構成情報を送信してもよい。
【００９４】
435において、UE415は、基地局405から構成情報を受信してもよい。440において、UE415は、PDSCH用に割り振られたリソースを識別してもよい。たとえば、UE415は、第1のTTIにおける制御チャネル探索空間セット用の周波数リソースのセットと、制御チャネル探索空間セットにおけるPDCCH送信の不在の指示とに基づいて、第2のTTIにおけるPDSCH用に割り振られた周波数および時間リソースを識別してもよい。いくつかの場合、UE415は、PDCCH送信の不在の指示を受信したことに基づいて、制御チャネル探索空間セットにおいてブラインド復号を実行することを控えてもよい。
【００９５】
445において、基地局405は、PDSCHをUE415に送信してもよい。UE415は、識別された周波数リソースを使用して、第2のTTIにおけるPDSCH送信を受信してもよい。いくつかの例では、UE415は、PDSCH送信のスケジューリングオフセットがしきい値よりも大きいかまたはそれに等しいことに少なくとも部分的に基づいて、識別された周波数リソースに対応するビームを使用して、第2のTTIにおけるPDSCH送信を受信してもよい。代替的に、UE415は、PDSCH送信のスケジューリングオフセットがしきい値よりも小さいかまたはそれに等しいことに基づいて、第1のビームを使用して第2のTTIにおけるPDSCH送信を受信してもよい。第1のビームは、識別された周波数リソースに対応する第2のビームとは異なってもよい。
【００９６】
図5は、本開示の態様による、ビーム指示用の仮想探索空間セットをサポートするワイヤレスデバイス505のブロック図500を示す。ワイヤレスデバイス505は、本明細書で説明するようなUE115の態様の一例であり得る。ワイヤレスデバイス505は、受信機510、UE通信マネージャ515、および送信機520を含み得る。ワイヤレスデバイス505はまた、プロセッサを含み得る。これらのコンポーネントの各々は、(たとえば、1つまたは複数のバスを介して)互いと通信していることがある。
【００９７】
受信機510は、パケット、ユーザデータ、または様々な情報チャネル(たとえば、制御チャネル、データチャネル、およびビーム指示用の仮想探索空間セットに関する情報など)に関連付けられた制御情報などの情報を受信し得る。受信機は、情報をデバイスの他のコンポーネントに渡し得る。受信機510は、図8を参照しながら説明するトランシーバ835の態様の一例であり得る。受信機510は、単一のアンテナまたはアンテナのセットを利用し得る。
【００９８】
UE通信マネージャ515は、図8を参照しながら説明するUE通信マネージャ815の態様の一例であり得る。UE通信マネージャ515および/またはその様々な副コンポーネントのうちの少なくともいくつかは、ハードウェア、プロセッサによって実行されるソフトウェア、ファームウェア、またはそれらの任意の組合せにおいて実装され得る。プロセッサによって実行されるソフトウェアにおいて実装される場合、UE通信マネージャ515および/またはその様々な副コンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェアコンポーネント、または本開示で説明する機能を実行するように設計されたそれらの任意の組合せによって実行され得る。
【００９９】
UE通信マネージャ515および/またはその様々な副コンポーネントのうちの少なくともいくつかは、機能の部分が1つまたは複数の物理デバイスによって異なる物理的ロケーションにおいて実装されるように分散されることを含めて、様々な位置に物理的に位置し得る。いくつかの例では、UE通信マネージャ515および/またはその様々な副コンポーネントのうちの少なくともいくつかは、本開示の様々な態様による別個の異なるコンポーネントであり得る。他の例では、UE通信マネージャ515および/またはその様々な副コンポーネントのうちの少なくともいくつかは、限定はしないが、I/Oコンポーネント、トランシーバ、ネットワークサーバ、別のコンピューティングデバイス、本開示で説明する1つもしくは複数の他のコンポーネント、または本開示の様々な態様によるそれらの組合せを含む、1つまたは複数の他のハードウェアコンポーネントと組み合わせられ得る。
【０１００】
UE通信マネージャ515は、第1のTTIにおける制御チャネル探索空間セット用の構成情報を受信することであって、受信された構成情報が、制御チャネル探索空間セットにおけるPDCCH送信の不在の指示と、制御チャネル探索空間セット用の時間および周波数リソースのセットとを含む、ことと、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別することと、識別された時間および周波数リソースを使用して、第2のTTIにおけるPDSCH送信を受信することとを行ってもよい。
【０１０１】
送信機520は、デバイスの他のコンポーネントによって生成された信号を送信し得る。いくつかの例では、送信機520は、トランシーバモジュール内で受信機510とコロケートされ得る。たとえば、送信機520は、図8を参照しながら説明するトランシーバ835の態様の一例であり得る。送信機520は、単一のアンテナまたはアンテナのセットを利用し得る。
【０１０２】
図6は、本開示の態様による、ビーム指示用の仮想探索空間セットをサポートするワイヤレスデバイス605のブロック図600を示す。ワイヤレスデバイス605は、図5を参照しながら説明したようなワイヤレスデバイス505またはUE115の態様の一例であり得る。ワイヤレスデバイス605は、受信機610、UE通信マネージャ615、および送信機620を含み得る。ワイヤレスデバイス605はまた、プロセッサを含み得る。これらのコンポーネントの各々は、(たとえば、1つまたは複数のバスを介して)互いと通信していることがある。
【０１０３】
受信機610は、パケット、ユーザデータ、または様々な情報チャネル(たとえば、制御チャネル、データチャネル、およびビーム指示用の仮想探索空間セットに関する情報など)に関連付けられた制御情報などの情報を受信し得る。情報は、デバイスの他のコンポーネントに渡され得る。受信機610は、図8を参照しながら説明するトランシーバ835の態様の一例であり得る。受信機610は、単一のアンテナまたはアンテナのセットを利用し得る。
【０１０４】
UE通信マネージャ615は、図8を参照しながら説明するUE通信マネージャ815の態様の一例であり得る。UE通信マネージャ615はまた、構成コンポーネント625、リソースコンポーネント630、および物理チャネルコンポーネント635を含み得る。
【０１０５】
構成コンポーネント625は、第1のTTIにおける制御チャネル探索空間セット用の構成情報を受信してもよい。受信された構成情報は、制御チャネル探索空間セットにおけるPDCCH送信の不在の指示と、制御チャネル探索空間セット用の周波数リソースのセットとを含む。いくつかの場合、制御チャネル探索空間セット用の構成情報は、無線リソース制御シグナリングにおいて受信される。いくつかの場合、構成情報は、基地局からのcoreset構成と、TCI状態と、coreset構成のリソースに対応する時間および周波数リソースとを含む。いくつかの場合、coresetに関連付けられた制御チャネル探索空間セットは、ゼロ個のPDCCH候補を含む。
【０１０６】
リソースコンポーネント630は、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別してもよい。
【０１０７】
物理チャネルコンポーネント635は、DCIのフィールドにおいて第1のTCI状態を受信してもよく、識別された時間および周波数リソースにおいてPDSCH送信を受信してもよい。物理チャネルコンポーネント635は、受信されたTCI状態に関連付けられた第1のビームを使用して、識別された時間および周波数リソースにおいてPDSCH送信を受信してもよい。識別された時間および周波数リソースは、PDSCH送信のスケジューリングオフセットがしきい値よりも大きいかまたはそれに等しいことに基づいてもよい。いくつかの他の場合、物理チャネルコンポーネント635は、PDSCH送信のスケジューリングオフセットがしきい値よりも小さいかまたはそれに等しいことに基づいて、第2のTCI状態に関連付けられた第1のビームを使用して、識別された時間および周波数リソースにおいてPDSCH送信を受信してもよく、ここで、第1のビームは、第1のTCI状態に関連付けられた第2のビームとは異なってもよく、制御リソースセットの第2のTCI状態は、制御チャネル探索空間セットに関連付けられる。
【０１０８】
送信機620は、デバイスの他のコンポーネントによって生成された信号を送信し得る。いくつかの例では、送信機620は、トランシーバモジュール内で受信機610とコロケートされ得る。たとえば、送信機620は、図8を参照しながら説明するトランシーバ835の態様の一例であり得る。送信機620は、単一のアンテナまたはアンテナのセットを利用し得る。
【０１０９】
図7は、本開示の態様による、ビーム指示用の仮想探索空間セットをサポートするUE通信マネージャ715のブロック図700を示す。UE通信マネージャ715は、図5、図6、および図8を参照しながら説明するUE通信マネージャ515、UE通信マネージャ615、またはUE通信マネージャ815の態様の一例であり得る。UE通信マネージャ715は、構成コンポーネント720、リソースコンポーネント725、物理チャネルコンポーネント730、復号コンポーネント735、およびパラメータコンポーネント740を含み得る。これらのモジュールの各々は、直接または間接的に(たとえば、1つまたは複数のバスを介して)互いと通信し得る。
【０１１０】
構成コンポーネント720は、第1のTTIにおける制御チャネル探索空間セット用の構成情報を受信してもよい。受信された構成情報は、制御チャネル探索空間セットにおけるPDCCH送信の不在の指示と、制御チャネル探索空間セット用の時間および周波数リソースのセットとを含む。いくつかの場合、制御チャネル探索空間セット用の構成情報は、無線リソース制御シグナリングにおいて受信される。いくつかの場合、構成情報は、基地局からのcoreset構成と、TCI状態と、coreset構成のリソースに対応する時間および周波数リソースとを含む。いくつかの場合、coresetに関連付けられた制御チャネル探索空間セットは、ゼロ個のPDCCH候補を含む。
【０１１１】
リソースコンポーネント725は、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別してもよい。
【０１１２】
物理チャネルコンポーネント730は、DCIのフィールドにおいて第1のTCI状態を受信してもよく、識別された時間および周波数リソースにおいてPDSCH送信を受信してもよい。物理チャネルコンポーネント730は、受信されたTCI状態に関連付けられたビームを使用して、識別された時間および周波数リソースにおいてPDSCH送信を受信してもよい。識別された時間および周波数リソースは、PDSCH送信のスケジューリングオフセットがしきい値よりも大きいかまたはそれに等しいことに基づいてもよい。いくつかの他の場合、物理チャネルコンポーネント730は、PDSCH送信のスケジューリングオフセットがしきい値よりも小さいかまたはそれに等しいことに基づいて、第2のTCI状態に関連付けられた第1のビームを使用して、識別された時間および周波数リソースにおいてPDSCH送信を受信してもよく、ここで、第1のビームは、第1のTCI状態に関連付けられた第2のビームとは異なってもよい。
【０１１３】
復号コンポーネント735は、PDCCH送信の不在の指示を受信したことに基づいて、制御チャネル探索空間セットにおいてブラインド復号を実行することを控えてもよい。パラメータコンポーネント740は、DCIのフィールドにおいて、TCI状態を受信してもよく、ここで、TCI状態は、ビーム指示の空間QCLパラメータを含む。
【０１１４】
図8は、本開示の態様による、ビーム指示用の仮想探索空間セットをサポートするデバイス805を含むシステム800の図を示す。デバイス805は、たとえば、図5および図6を参照しながら上記で説明したようなワイヤレスデバイス505、ワイヤレスデバイス605、またはUE115のコンポーネントの一例であるか、またはそれらを含み得る。デバイス805は、UE通信マネージャ815、プロセッサ820、メモリ825、ソフトウェア830、トランシーバ835、アンテナ840、およびI/Oコントローラ845を含む、通信を送信および受信するためのコンポーネントを含む双方向音声およびデータ通信のためのコンポーネントを含み得る。これらのコンポーネントは、1つまたは複数のバス(たとえば、バス810)を介して電子通信していることがある。デバイス805は、1つまたは複数の基地局105とワイヤレス通信し得る。
【０１１５】
プロセッサ820は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含み得る。いくつかの場合、プロセッサ820は、メモリコントローラを使用してメモリアレイを動作させるように構成され得る。他の場合、メモリコントローラは、プロセッサ820に組み込まれ得る。プロセッサ820は、様々な機能(たとえば、ビーム指示用の仮想探索空間セットをサポートする機能またはタスク)を実行するために、メモリに記憶されたコンピュータ可読命令を実行するように構成され得る。
【０１１６】
メモリ825は、ランダムアクセスメモリ(RAM)および読取り専用メモリ(ROM)を含み得る。メモリ825は、実行されると、本明細書で説明する様々な機能をプロセッサに実行させる命令を含む、コンピュータ可読、コンピュータ実行可能ソフトウェア830を記憶し得る。いくつかの場合、メモリ825は、特に、周辺コンポーネントまたはデバイスとの対話などの基本的なハードウェア動作またはソフトウェア動作を制御し得る基本入出力システム(BIOS)を含み得る。
【０１１７】
ソフトウェア830は、ビーム指示用の仮想探索空間セットをサポートするためのコードを含む、本開示の態様を実装するためのコードを含み得る。ソフトウェア830は、システムメモリまたは他のメモリなどの非一時的コンピュータ可読記憶媒体に記憶され得る。いくつかの場合、ソフトウェア830は、プロセッサによって直接実行可能ではないことがあるが、(たとえば、コンパイルされ実行されると)本明細書で説明する機能をコンピュータに実行させ得る。
【０１１８】
トランシーバ835は、上記で説明したように、1つまたは複数のアンテナ、ワイヤードリンク、またはワイヤレスリンクを介して双方向に通信し得る。たとえば、トランシーバ835は、ワイヤレストランシーバを表すことがあり、別のワイヤレストランシーバと双方向に通信し得る。トランシーバ835はまた、パケットを変調し、変調されたパケットを送信のためにアンテナに提供するための、かつアンテナから受信されたパケットを復調するためのモデムを含み得る。いくつかの場合、ワイヤレスデバイスは、単一のアンテナ840を含み得る。しかしながら、いくつかの場合、デバイスは、複数のワイヤレス送信を同時に送信または受信することが可能であり得る、2つ以上のアンテナ840を有し得る。
【０１１９】
I/Oコントローラ845は、デバイス805のための入力信号および出力信号を管理し得る。I/Oコントローラ845はまた、デバイス805に組み込まれていない周辺装置を管理し得る。いくつかの場合、I/Oコントローラ845は、外部周辺装置への物理接続またはポートを表し得る。いくつかの場合、I/Oコントローラ845は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合、I/Oコントローラ845は、モデム、キーボード、マウス、タッチスクリーン、または同様のデバイスを表すか、またはそれらと対話することができる。いくつかの場合、I/Oコントローラ845は、プロセッサの一部として実装され得る。いくつかの場合、ユーザは、I/Oコントローラ845を介して、またはI/Oコントローラ845によって制御されるハードウェアコンポーネントを介して、デバイス805と対話し得る。
【０１２０】
図9は、本開示の態様による、ビーム指示用の仮想探索空間セットをサポートするワイヤレスデバイス905のブロック図900を示す。ワイヤレスデバイス905は、本明細書で説明するような基地局105の態様の一例であり得る。ワイヤレスデバイス905は、受信機910、基地局通信マネージャ915、および送信機920を含み得る。ワイヤレスデバイス905はまた、プロセッサを含み得る。これらのコンポーネントの各々は、(たとえば、1つまたは複数のバスを介して)互いと通信していることがある。
【０１２１】
受信機910は、パケット、ユーザデータ、または様々な情報チャネル(たとえば、制御チャネル、データチャネル、およびビーム指示用の仮想探索空間セットに関する情報など)に関連付けられた制御情報などの情報を受信し得る。情報は、デバイスの他のコンポーネントに渡され得る。受信機910は、図12を参照しながら説明するトランシーバ1235の態様の一例であり得る。受信機910は、単一のアンテナまたはアンテナのセットを利用し得る。
【０１２２】
基地局通信マネージャ915は、図12を参照しながら説明する基地局通信マネージャ1215の態様の一例であり得る。基地局通信マネージャ915および/またはその様々な副コンポーネントのうちの少なくともいくつかは、ハードウェア、プロセッサによって実行されるソフトウェア、ファームウェア、またはそれらの任意の組合せにおいて実装され得る。プロセッサによって実行されるソフトウェアにおいて実装される場合、基地局通信マネージャ915および/またはその様々な副コンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェアコンポーネント、または本開示で説明する機能を実行するように設計されたそれらの任意の組合せによって実行され得る。
【０１２３】
基地局通信マネージャ915および/またはその様々な副コンポーネントのうちの少なくともいくつかは、機能の部分が1つまたは複数の物理デバイスによって異なる物理的ロケーションにおいて実装されるように分散されることを含めて、様々な位置に物理的に位置し得る。いくつかの例では、基地局通信マネージャ915および/またはその様々な副コンポーネントのうちの少なくともいくつかは、本開示の様々な態様による別個の異なるコンポーネントであり得る。他の例では、基地局通信マネージャ915および/またはその様々な副コンポーネントのうちの少なくともいくつかは、限定はしないが、I/Oコンポーネント、トランシーバ、ネットワークサーバ、別のコンピューティングデバイス、本開示で説明する1つもしくは複数の他のコンポーネント、または本開示の様々な態様によるそれらの組合せを含む、1つまたは複数の他のハードウェアコンポーネントと組み合わせられ得る。
【０１２４】
基地局通信マネージャ915は、第1のTTIにおけるUEに送信されるべきPDSCH用の時間および周波数リソースを識別することと、UEに、第2のTTIにおける制御チャネル探索空間セット用の構成情報を送信することであって、第2のTTIが第1のTTIに先行し、構成情報が、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む、ことと、PDSCH用の識別された時間および周波数リソースを使用して、第1のTTIにおけるPDSCH送信を送信することとを行ってもよい。
【０１２５】
送信機920は、デバイスの他のコンポーネントによって生成された信号を送信し得る。いくつかの例では、送信機920は、トランシーバモジュール内で受信機910とコロケートされ得る。たとえば、送信機920は、図12を参照しながら説明するトランシーバ1235の態様の一例であり得る。送信機920は、単一のアンテナまたはアンテナのセットを利用し得る。
【０１２６】
図10は、本開示の態様による、ビーム指示用の仮想探索空間セットをサポートするワイヤレスデバイス1005のブロック図1000を示す。ワイヤレスデバイス1005は、図9を参照しながら説明したようなワイヤレスデバイス905または基地局105の態様の一例であり得る。ワイヤレスデバイス1005は、受信機1010、基地局通信マネージャ1015、および送信機1020を含み得る。ワイヤレスデバイス1005はまた、プロセッサを含み得る。これらのコンポーネントの各々は、(たとえば、1つまたは複数のバスを介して)互いと通信していることがある。
【０１２７】
受信機1010は、パケット、ユーザデータ、または様々な情報チャネル(たとえば、制御チャネル、データチャネル、およびビーム指示用の仮想探索空間セットに関する情報など)に関連付けられた制御情報などの情報を受信し得る。情報は、デバイスの他のコンポーネントに渡され得る。受信機1010は、図12を参照しながら説明するトランシーバ1235の態様の一例であり得る。受信機1010は、単一のアンテナまたはアンテナのセットを利用し得る。
【０１２８】
基地局通信マネージャ1015は、図12を参照しながら説明する基地局通信マネージャ1215の態様の一例であり得る。基地局通信マネージャ1015はまた、リソースコンポーネント1025、構成コンポーネント1030、および物理チャネルコンポーネント1035を含み得る。リソースコンポーネント1025は、第1のTTIにおけるUEに送信されるべきPDSCH用の時間および周波数リソースを識別してもよい。
【０１２９】
構成コンポーネント1030は、UEに、第2のTTIにおける制御チャネル探索空間セット用の構成情報を送信してもよい。第2のTTIは第1のTTIに先行し、構成情報は、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む。構成コンポーネント1030は、無線リソース制御シグナリングを使用して、制御チャネル探索空間セット用の構成情報を送信してもよい。いくつかの場合、構成情報は、coreset構成と、TCI状態と、coreset構成のリソースに対応する時間および周波数リソースとを含む。いくつかの場合、coresetに関連付けられた制御チャネル探索空間セットは、ゼロ個のPDCCH候補を含む。
【０１３０】
物理チャネルコンポーネント1035は、DCIのフィールドにおいて、第1のTCI状態におけるPDSCH送信を送信してもよい。物理チャネルコンポーネント1035は、送信されたTCI状態に関連付けられたビームを使用して、識別された時間および周波数リソースにおいてPDSCH送信を送信してもよく、PDSCHの送信は、スケジューリングオフセットがしきい値よりも大きいかまたはそれに等しいことに基づく。他の場合、物理チャネルコンポーネント1035は、PDSCH送信のスケジューリングオフセットがしきい値よりも小さいかまたはそれに等しいことに基づいて、第2のTCI状態に関連付けられた第1のビームを使用して、識別された時間および周波数リソースにおいてPDSCH送信を送信してもよい。第1のビームは、第1のTCI状態に関連付けられた第2のビームとは異なってもよく、制御リソースセットの第2のTCI状態は、制御チャネル探索空間セットに関連付けられる。
【０１３１】
送信機1020は、デバイスの他のコンポーネントによって生成された信号を送信し得る。いくつかの例では、送信機1020は、トランシーバモジュール内で受信機1010とコロケートされ得る。たとえば、送信機1020は、図12を参照しながら説明するトランシーバ1235の態様の一例であり得る。送信機1020は、単一のアンテナまたはアンテナのセットを利用し得る。
【０１３２】
図11は、本開示の態様による、ビーム指示用の仮想探索空間セットをサポートする基地局通信マネージャ1115のブロック図1100を示す。基地局通信マネージャ1115は、図9、図10、および図12を参照しながら説明する基地局通信マネージャ915、基地局通信マネージャ1015、または基地局通信マネージャ1215の態様の一例であり得る。基地局通信マネージャ1115は、リソースコンポーネント1120、構成コンポーネント1125、物理チャネルコンポーネント1130、およびパラメータコンポーネント1135を含み得る。これらのモジュールの各々は、直接または間接的に(たとえば、1つまたは複数のバスを介して)互いと通信し得る。
【０１３３】
リソースコンポーネント1120は、第1のTTIにおけるUEに送信されるべきPDSCH用の時間および周波数リソースを識別してもよい。構成コンポーネント1125は、UEに、第2のTTIにおける制御チャネル探索空間セット用の構成情報を送信してもよい。第2のTTIは第1のTTIに先行し、構成情報は、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む。構成コンポーネント1125は、RRCシグナリングを使用して、制御チャネル探索空間セット用の構成情報を送信してもよい。いくつかの場合、構成情報は、coreset構成と、TCI状態と、coreset構成のリソースに対応する時間および周波数リソースとを含む。いくつかの場合、coresetに関連付けられた制御チャネル探索空間セットは、ゼロ個のPDCCH候補を含む。
【０１３４】
物理チャネルコンポーネント1130は、DCIのフィールドにおいて、第1のTCI状態におけるPDSCH送信を送信してもよい。物理チャネルコンポーネント1130は、送信されたTCI状態に関連付けられたビームを使用して、識別された時間および周波数リソースにおいてPDSCH送信を送信してもよく、PDSCHの送信は、スケジューリングオフセットがしきい値よりも大きいかまたはそれに等しいことに基づく。他の場合、物理チャネルコンポーネント1130は、PDSCH送信のスケジューリングオフセットがしきい値よりも小さいかまたはそれに等しいことに基づいて、第2のTCI状態に関連付けられた第1のビームを使用して、識別された時間および周波数リソースにおいてPDSCH送信を送信してもよい。第1のビームは、第1のTCI状態に関連付けられた第2のビームとは異なってもよく、制御リソースセットの第2のTCI状態は、制御チャネル探索空間セットに関連付けられる。パラメータコンポーネント1135は、DCIのフィールドにおいて、TCI状態を送信してもよい。TCI状態は、ビーム指示の空間QCLパラメータを含み得る。
【０１３５】
図12は、本開示の態様による、ビーム指示用の仮想探索空間セットをサポートするデバイス1205を含むシステム1200の図を示す。デバイス1205は、たとえば、図1を参照しながら上記で説明したような基地局105のコンポーネントの一例であるか、またはそれらを含み得る。デバイス1205は、基地局通信マネージャ1215、プロセッサ1220、メモリ1225、ソフトウェア1230、トランシーバ1235、アンテナ1240、ネットワーク通信マネージャ1245、および局間通信マネージャ1250を含む、通信を送信および受信するためのコンポーネントを含む双方向音声およびデータ通信のためのコンポーネントを含み得る。これらのコンポーネントは、1つまたは複数のバス(たとえば、バス1210)を介して電子通信していることがある。デバイス1205は、1つまたは複数のUE115とワイヤレス通信し得る。
【０１３６】
プロセッサ1220は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含み得る。いくつかの場合、プロセッサ1220は、メモリコントローラを使用してメモリアレイを動作させるように構成され得る。他の場合、メモリコントローラは、プロセッサ1220に組み込まれ得る。プロセッサ1220は、様々な機能(たとえば、ビーム指示用の仮想探索空間セットをサポートする機能またはタスク)を実行するために、メモリに記憶されたコンピュータ可読命令を実行するように構成され得る。
【０１３７】
メモリ1225は、RAMおよびROMを含み得る。メモリ1225は、実行されると、本明細書で説明する様々な機能をプロセッサに実行させる命令を含む、コンピュータ可読、コンピュータ実行可能ソフトウェア1230を記憶し得る。いくつかの場合、メモリ1225は、特に、周辺コンポーネントまたはデバイスとの対話などの基本的なハードウェア動作またはソフトウェア動作を制御し得るBIOSを含み得る。
【０１３８】
ソフトウェア1230は、ビーム指示用の仮想探索空間セットをサポートするためのコードを含む、本開示の態様を実装するためのコードを含み得る。ソフトウェア1230は、システムメモリまたは他のメモリなどの非一時的コンピュータ可読記憶媒体に記憶され得る。いくつかの場合、ソフトウェア1230は、プロセッサによって直接実行可能ではないことがあるが、(たとえば、コンパイルされ実行されると)本明細書で説明する機能をコンピュータに実行させ得る。
【０１３９】
トランシーバ1235は、上記で説明したように、1つまたは複数のアンテナ、ワイヤードリンク、またはワイヤレスリンクを介して双方向に通信し得る。たとえば、トランシーバ1235は、ワイヤレストランシーバを表すことがあり、別のワイヤレストランシーバと双方向に通信し得る。トランシーバ1235はまた、パケットを変調し、変調されたパケットを送信のためにアンテナに提供するための、かつアンテナから受信されたパケットを復調するためのモデムを含み得る。いくつかの場合、ワイヤレスデバイスは、単一のアンテナ1240を含み得る。しかしながら、いくつかの場合、デバイスは、複数のワイヤレス送信を同時に送信または受信することが可能であり得る、2つ以上のアンテナ1240を有し得る。
【０１４０】
ネットワーク通信マネージャ1245は、(たとえば、1つまたは複数のワイヤードバックホールリンクを介して)コアネットワークとの通信を管理することができる。たとえば、ネットワーク通信マネージャ1245は、1つまたは複数のUE115などのクライアントデバイスのためのデータ通信の転送を管理することができる。
【０１４１】
局間通信マネージャ1250は、他の基地局105との通信を管理することができ、他の基地局105と協調してUE115との通信を制御するためのコントローラまたはスケジューラを含み得る。たとえば、局間通信マネージャ1250は、ビームフォーミングまたはジョイント送信などの様々な干渉緩和技法のために、UE115への送信のためのスケジューリングを協調させ得る。いくつかの例では、局間通信マネージャ1250は、基地局105間の通信を行うために、ロングタームエボリューション(LTE)/LTE-Aワイヤレス通信ネットワーク技術内のX2インターフェースを提供し得る。
【０１４２】
図13は、本開示の態様による、ビーム指示用の仮想探索空間セットのための方法1300を示すフローチャートを示す。方法1300の動作は、本明細書で説明するように、UE115またはそのコンポーネントによって実装され得る。たとえば、方法1300の動作は、図5〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１４３】
1305において、UE115は、第1のTTIにおける制御チャネル探索空間セット用の構成情報を受信してもよく、受信された構成情報は、制御チャネル探索空間セットにおけるPDCCH送信の不在の指示と、制御チャネル探索空間セット用の時間および周波数リソースのセットとを含む。1305の動作は、本明細書で説明する方法に従って実行され得る。いくつかの例では、1305の動作の態様は、図5〜図8を参照しながら説明したような構成コンポーネントによって実行され得る。
【０１４４】
1310において、UE115は、第1のTTIにおける制御チャネル探索空間セット用の時間および周波数リソースのセットと、制御チャネル探索空間セットにおけるPDCCH送信の不在の指示とに少なくとも部分的に基づいて、第2のTTIにおけるPDSCH用に割り振られた時間および周波数リソースを識別してもよい。1310の動作は、本明細書で説明する方法に従って実行され得る。いくつかの例では、1310の動作の態様は、図5〜図8を参照しながら説明したようなリソースコンポーネントによって実行され得る。
【０１４５】
1315において、UE115は、識別された時間および周波数リソースを使用して、第2のTTIにおけるPDSCH送信を受信してもよい。1315の動作は、本明細書で説明する方法に従って実行され得る。いくつかの例では、1315の動作の態様は、図5〜図8を参照しながら説明したような物理チャネルコンポーネントによって実行され得る。
【０１４６】
図14は、本開示の態様による、ビーム指示用の仮想探索空間セットのための方法1400を示すフローチャートを示す。方法1400の動作は、本明細書で説明するように、UE115またはそのコンポーネントによって実装され得る。たとえば、方法1400の動作は、図5〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１４７】
1405において、UE115は、第1のTTIにおける制御チャネル探索空間セット用の構成情報を受信してもよく、受信された構成情報は、制御チャネル探索空間セットにおけるPDCCH送信の不在の指示と、制御チャネル探索空間セット用の時間および周波数リソースのセットとを含む。1405の動作は、本明細書で説明する方法に従って実行され得る。いくつかの例では、1405の動作の態様は、図5〜図8を参照しながら説明したような構成コンポーネントによって実行され得る。
【０１４８】
1410において、UE115は、第1のTTIにおける制御チャネル探索空間セット用の時間および周波数リソースのセットと、制御チャネル探索空間セットにおけるPDCCH送信の不在の指示とに少なくとも部分的に基づいて、第2のTTIにおけるPDSCH用に割り振られた時間および周波数リソースを識別してもよい。1410の動作は、本明細書で説明する方法に従って実行され得る。いくつかの例では、1410の動作の態様は、図5〜図8を参照しながら説明したようなリソースコンポーネントによって実行され得る。
【０１４９】
1415において、UE115は、識別された時間および周波数リソースを使用して、第2のTTIにおけるPDSCH送信を受信してもよい。1415の動作は、本明細書で説明する方法に従って実行され得る。いくつかの例では、1415の動作の態様は、図5〜図8を参照しながら説明したような物理チャネルコンポーネントによって実行され得る。
【０１５０】
1420において、UE115は、PDCCH送信の不在の指示を受信したことに少なくとも部分的に基づいて、制御チャネル探索空間セットにおいてブラインド復号を実行することを控えてもよい。1420の動作は、本明細書で説明する方法に従って実行され得る。いくつかの例では、1420の動作の態様は、図5〜図8を参照しながら説明したような復号コンポーネントによって実行され得る。
【０１５１】
図15は、本開示の態様による、ビーム指示用の仮想探索空間セットのための方法1500を示すフローチャートを示す。方法1500の動作は、本明細書で説明するように、UE115またはそのコンポーネントによって実装され得る。たとえば、方法1500の動作は、図5〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１５２】
1505において、UE115は、第1のTTIにおける制御チャネル探索空間セット用の構成情報を受信してもよく、受信された構成情報は、制御チャネル探索空間セットにおけるPDCCH送信の不在の指示と、制御チャネル探索空間セット用の時間および周波数リソースのセットとを含む。1505の動作は、本明細書で説明する方法に従って実行され得る。いくつかの例では、1505の動作の態様は、図5〜図8を参照しながら説明したような構成コンポーネントによって実行され得る。
【０１５３】
1510において、UE115は、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別してもよい。1510の動作は、本明細書で説明する方法に従って実行され得る。いくつかの例では、1510の動作の態様は、図5〜図8を参照しながら説明したようなリソースコンポーネントによって実行され得る。
【０１５４】
1515において、UE115は、DCIのフィールドにおいて、TCI状態を受信してもよい。1515の動作は、本明細書で説明する方法に従って実行され得る。いくつかの例では、1515の動作の態様は、図5〜図8を参照しながら説明したような物理チャネルコンポーネントによって実行され得る。
【０１５５】
1520において、UE115は、PDSCH送信のスケジューリングオフセットがしきい値よりも大きいかまたはそれに等しいことに基づいて、受信されたTCI状態に関連付けられたビームを使用して、識別された時間および周波数リソースにおいてPDSCH送信を受信してもよい。1520の動作は、本明細書で説明する方法に従って実行され得る。いくつかの例では、1520の動作の態様は、図5〜図8を参照しながら説明したような物理チャネルコンポーネントによって実行され得る。
【０１５６】
図16は、本開示の態様による、ビーム指示用の仮想探索空間セットのための方法1600を示すフローチャートを示す。方法1600の動作は、本明細書で説明するように、UE115またはそのコンポーネントによって実装され得る。たとえば、方法1600の動作は、図5〜図8を参照しながら説明したようなUE通信マネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１５７】
1605において、UE115は、第1のTTIにおける制御チャネル探索空間セット用の構成情報を受信してもよく、受信された構成情報は、制御チャネル探索空間セットにおけるPDCCH送信の不在の指示と、制御チャネル探索空間セット用の時間および周波数リソースのセットとを含む。1605の動作は、本明細書で説明する方法に従って実行され得る。いくつかの例では、1605の動作の態様は、図5〜図8を参照しながら説明したような構成コンポーネントによって実行され得る。
【０１５８】
1610において、UE115は、第1のTTIにおける制御チャネル探索空間セット用の時間および周波数リソースのセットと、制御チャネル探索空間セットにおけるPDCCH送信の不在の指示とに基づいて、第2のTTIにおけるPDSCH用に割り振られた時間および周波数リソースを識別してもよい。1610の動作は、本明細書で説明する方法に従って実行され得る。いくつかの例では、1610の動作の態様は、図5〜図8を参照しながら説明したようなリソースコンポーネントによって実行され得る。
【０１５９】
1615において、UE115は、DCIのフィールドにおいて、TCI状態を受信してもよい。1615の動作は、本明細書で説明する方法に従って実行され得る。いくつかの例では、1615の動作の態様は、図5〜図8を参照しながら説明したような物理チャネルコンポーネントによって実行され得る。
【０１６０】
1620において、UE115は、PDSCH送信のスケジューリングオフセットがしきい値よりも小さいかまたはそれに等しいことに基づいて、第2のTCI状態に関連付けられた第1のビームを使用して、識別された時間および周波数リソースにおいてPDSCH送信を受信してもよく、第1のビームは、第1のTCI状態に関連付けられた第2のビームとは異なり、制御リソースセットの第2のTCI状態は、制御チャネル探索空間セットに関連付けられる。1620の動作は、本明細書で説明する方法に従って実行され得る。いくつかの例では、1620の動作の態様は、図5〜図8を参照しながら説明したような物理チャネルコンポーネントによって実行され得る。
【０１６１】
図17は、本開示の態様による、ビーム指示用の仮想探索空間セットのための方法1700を示すフローチャートを示す。方法1700の動作は、本明細書で説明するように、基地局105またはそのコンポーネントによって実装され得る。たとえば、方法1700の動作は、図9〜図12を参照しながら説明したような基地局通信マネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行し得る。
【０１６２】
1705において、基地局105は、第1のTTIにおけるUEに送信されるべきPDSCH用の時間および周波数リソースを識別してもよい。1705の動作は、本明細書で説明する方法に従って実行され得る。いくつかの例では、1705の動作の態様は、図9〜図12を参照しながら説明したようなリソースコンポーネントによって実行され得る。
【０１６３】
1710において、基地局105は、UEに、第2のTTIにおける制御チャネル探索空間セット用の構成情報を送信してもよく、第2のTTIは第1のTTIに先行し、構成情報は、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む。1710の動作は、本明細書で説明する方法に従って実行され得る。いくつかの例では、1710の動作の態様は、図9〜図12を参照しながら説明したような構成コンポーネントによって実行され得る。
【０１６４】
1715において、基地局105は、PDSCH用の識別された時間および周波数リソースを使用して、第1のTTIにおけるPDSCH送信を送信してもよい。1715の動作は、本明細書で説明する方法に従って実行され得る。いくつかの例では、1715の動作の態様は、図9〜図12を参照しながら説明したような物理チャネルコンポーネントによって実行され得る。
【０１６５】
図18は、本開示の態様による、ビーム指示用の仮想探索空間セットのための方法1800を示すフローチャートを示す。方法1800の動作は、本明細書で説明するように、基地局105またはそのコンポーネントによって実装され得る。たとえば、方法1800の動作は、図9〜図12を参照しながら説明したような基地局通信マネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行し得る。
【０１６６】
1805において、基地局105は、第1のTTIにおけるUEに送信されるべきPDSCH用の時間および周波数リソースを識別してもよい。1805の動作は、本明細書で説明する方法に従って実行され得る。いくつかの例では、1805の動作の態様は、図9〜図12を参照しながら説明したようなリソースコンポーネントによって実行され得る。
【０１６７】
1810において、基地局105は、UEに、第2のTTIにおける制御チャネル探索空間セット用の構成情報を送信してもよく、第2のTTIは第1のTTIに先行し、構成情報は、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む。1810の動作は、本明細書で説明する方法に従って実行され得る。いくつかの例では、1810の動作の態様は、図9〜図12を参照しながら説明したような構成コンポーネントによって実行され得る。
【０１６８】
1815において、基地局105は、DCIのフィールドにおいて、TCI状態を送信してもよい。1815の動作は、本明細書で説明する方法に従って実行され得る。いくつかの例では、1815の動作の態様は、図9〜図12を参照しながら説明したような物理チャネルコンポーネントによって実行され得る。
【０１６９】
1820において、基地局105は、PDSCH送信のスケジューリングオフセットがしきい値よりも大きいかまたはそれに等しいことに基づいて、送信されたTCI状態に関連付けられたビームを使用して、識別された時間および周波数リソースにおいてPDSCH送信を送信してもよい。1820の動作は、本明細書で説明する方法に従って実行され得る。いくつかの例では、1820の動作の態様は、図9〜図12を参照しながら説明したような物理チャネルコンポーネントによって実行され得る。
【０１７０】
図19は、本開示の態様による、ビーム指示用の仮想探索空間セットのための方法1900を示すフローチャートを示す。方法1900の動作は、本明細書で説明するように、基地局105またはそのコンポーネントによって実装され得る。たとえば、方法1900の動作は、図9〜図12を参照しながら説明したような基地局通信マネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行し得る。
【０１７１】
1905において、基地局105は、第1のTTIにおけるUEに送信されるべきPDSCH用の時間および周波数リソースを識別してもよい。1905の動作は、本明細書で説明する方法に従って実行され得る。いくつかの例では、1905の動作の態様は、図9〜図12を参照しながら説明したようなリソースコンポーネントによって実行され得る。
【０１７２】
1910において、基地局105は、UEに、第2のTTIにおける制御チャネル探索空間セット用の構成情報を送信してもよく、第2のTTIは第1のTTIに先行し、構成情報は、PDSCH用の識別された時間および周波数リソースを示すために制御チャネル探索空間セットにおいて送られるべきPDCCH送信の不在の指示と、制御チャネル探索空間セット用の時間および周波数リソースのセットとを含む。1910の動作は、本明細書で説明する方法に従って実行され得る。いくつかの例では、1910の動作の態様は、図9〜図12を参照しながら説明したような構成コンポーネントによって実行され得る。
【０１７３】
1915において、基地局105は、DCIのフィールドにおいて、TCI状態を送信してもよい。1915の動作は、本明細書で説明する方法に従って実行され得る。いくつかの例では、1915の動作の態様は、図9〜図12を参照しながら説明したような物理チャネルコンポーネントによって実行され得る。
【０１７４】
1920において、基地局105は、PDSCH送信のスケジューリングオフセットがしきい値よりも小さいかまたはそれに等しいことに基づいて、第2のTCI状態に関連付けられた第1のビームを使用して、識別された時間および周波数リソースにおいてPDSCH送信を送信してもよく、第1のビームは、第1のTCI状態に関連付けられた第2のビームとは異なり、制御リソースセットの第2のTCI状態は、制御チャネル探索空間セットに関連付けられる。1920の動作は、本明細書で説明する方法に従って実行され得る。いくつかの例では、1920の動作の態様は、図9〜図12を参照しながら説明したような物理チャネルコンポーネントによって実行され得る。
【０１７５】
上記で説明した方法は可能な実装形態について説明すること、動作およびステップは再構成されるかまたは他の方法で修正される場合があること、他の実装形態が可能であることに留意されたい。さらに、方法のうちの2つ以上からの態様が組み合わされ得る。
【０１７６】
本明細書で説明する技法は、符号分割多元接続(CDMA(登録商標))、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムに使用され得る。CDMA(登録商標)システムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(登録商標)(WCDMA(登録商標))と、CDMA(登録商標)の他の変形態とを含む。TDMAシステムは、モバイル通信用グローバルシステム(GSM(登録商標))などの無線技術を実装し得る。
【０１７７】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションズシステム(UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSM(登録商標)は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のシステムおよび無線技術、ならびに他のシステムおよび無線技術に使用され得る。LTE、LTE-A、LTE-A Pro、またはNRシステムの態様について例として説明することがあり、LTE、LTE-A、LTE-A Pro、またはNR用語が説明の大部分において使用されることがあるが、本明細書で説明する技法は、LTE、LTE-A、LTE-A Pro、またはNR適用以外に適用可能である。
【０１７８】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連付けられることがあり、スモールセルは、マクロセルと同じまたはマクロセルとは異なる(たとえば、認可、無認可など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)内のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセルをサポートすることができ、1つまたは複数のコンポーネントキャリアを使用する通信をサポートすることもできる。
【０１７９】
本明細書で説明する1つまたは複数のワイヤレス通信システム100は、同期動作または非同期動作をサポートすることができる。同期動作の場合、基地局105は、同様のフレームタイミングを有することがあり、異なる基地局105からの送信は、時間的にほぼ整合されることがある。非同期動作の場合、基地局105は、異なるフレームタイミングを有することがあり、異なる基地局105からの送信は、時間的に整合されないことがある。本明細書で説明する技法は、同期動作または非同期動作のいずれかに使用され得る。
【０１８０】
本明細書で説明する情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１８１】
本明細書の本開示に関して説明する様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェアコンポーネント、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１８２】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして、コンピュータ可読記憶媒体上に記憶されるか、またはコンピュータ可読記憶媒体を介して送信され得る。他の例および実装形態は、本開示および添付の特許請求の範囲の範囲内に入る。たとえば、ソフトウェアの性質に起因して、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。
【０１８３】
コンピュータ可読記憶媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読記憶媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態で所望のプログラムコード手段を搬送または記憶するために使用される場合があり、汎用コンピュータもしくは専用コンピュータまたは汎用プロセッサもしくは専用プロセッサによってアクセスされる場合がある任意の他の非一時的媒体を含み得る。また、任意の接続がコンピュータ可読記憶媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読記憶媒体の範囲内に含まれる。
【０１８４】
特許請求の範囲内を含めて本明細書で使用する場合、項目のリスト(たとえば、「のうちの少なくとも1つ」または「のうちの1つまたは複数」などの句で始まる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」として説明した例示的なステップは、本開示の範囲から逸脱することなく、条件Aと条件Bの両方に基づき得る。言い換えれば、本明細書で使用する「に基づいて」という句は、「に少なくとも部分的に基づいて」という句と同様に解釈されるべきである。
【０１８５】
添付の図では、同様のコンポーネントまたは特徴は、同じ参照ラベルを有し得る。さらに、同じタイプの様々なコンポーネントは、参照ラベルの後、ダッシュと、同様のコンポーネントを区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様のコンポーネントのうちのいずれにも適用可能である。
【０１８６】
添付の図面に関して本明細書に記載した説明は、例示的な構成について説明しており、実装され得るかまたは特許請求の範囲内に入るすべての例を表すわけではありません。本明細書で使用する「例示的」という用語は、「例、事例、または例示として働くこと」を意味し、「好ましい」または「他の例よりも有利な」を意味するものではない。発明を実施するための形態は、説明した技法の理解を与えるための具体的な詳細を含む。しかしながら、これらの技法は、これらの具体的な詳細なしに実践され得る。いくつかの事例では、説明した例の概念を不明瞭にすることを回避するために、よく知られている構造およびデバイスがブロック図の形態で示される。
【０１８７】
本明細書の説明は、当業者が本開示を作成または使用することを可能にするために提供される。本開示の様々な修正は、当業者に容易に明らかになり、本明細書で定義する一般原理は、本開示の範囲から逸脱することなく他の変形形態に適用され得る。したがって、本開示は、本明細書で説明する例および設計に限定されず、本明細書で開示する原理および新規の特徴と一致する最も広い範囲を与えられるべきである。
【符号の説明】
【０１８８】
100  ワイヤレス通信システム
105  基地局
110  地理的カバレージエリア
115  UE
125  通信リンク
130  コアネットワーク
132  バックホールリンク
134  バックホールリンク
200  ワイヤレス通信システム
205  基地局
215  UE
220  通信ビーム
220a〜220g  ビームフォーミングされた通信ビーム
225  送信
300  構成
305  システム帯域幅
310a〜310g  スロット
315  coreset
320  PDCCH
325  半永続的スケジューリングされたPDSCH
330  構成されたcoreset
400  プロセスフロー
405  基地局
415  UE
500  ブロック図
505  ワイヤレスデバイス
510  受信機
515  UE通信マネージャ
520  送信機
600  ブロック図
605  ワイヤレスデバイス
610  受信機
615  UE通信マネージャ
620  送信機
625  構成コンポーネント
630  リソースコンポーネント
635  物理チャネルコンポーネント
700  ブロック図
715  UE通信マネージャ
720  構成コンポーネント
725  リソースコンポーネント
730  物理チャネルコンポーネント
735  復号コンポーネント
740  パラメータコンポーネント
800  システム
805  デバイス
810  バス
815  UE通信マネージャ
820  プロセッサ
825  メモリ
830  コンピュータ可読、コンピュータ実行可能ソフトウェア、ソフトウェア
835  トランシーバ
840  アンテナ
845  I/Oコントローラ
900  ブロック図
905  ワイヤレスデバイス
910  受信機
915  基地局通信マネージャ
920  送信機
1000  ブロック図
1005  ワイヤレスデバイス
1010  受信機
1015  基地局通信マネージャ
1020  送信機
1025  リソースコンポーネント
1030  構成コンポーネント
1035  物理チャネルコンポーネント
1100  ブロック図
1115  基地局通信マネージャ
1120  リソースコンポーネント
1125  構成コンポーネント
1130  物理チャネルコンポーネント
1135  パラメータコンポーネント
1200  システム
1205  デバイス
1210  バス
1215  基地局通信マネージャ
1220  プロセッサ
1225  メモリ
1230  コンピュータ可読、コンピュータ実行可能ソフトウェア、ソフトウェア
1235  トランシーバ
1240  アンテナ
1245  ネットワーク通信マネージャ
1250  局間通信マネージャ
1300  方法
1400  方法
1500  方法
1600  方法
1700  方法
1800  方法
1900  方法
【図１】
2021514123.tif 000003
【図２】
2021514123.tif 000004
【図３】
2021514123.tif 000005
【図４】
2021514123.tif 000006
【図５】
2021514123.tif 000007
【図６】
2021514123.tif 000008
【図７】
2021514123.tif 000009
【図８】
2021514123.tif 000010
【図９】
2021514123.tif 000011
【図１０】
2021514123.tif 000012
【図１１】
2021514123.tif 000013
【図１２】
2021514123.tif 000014
【図１３】
2021514123.tif 000015
【図１４】
2021514123.tif 000016
【図１５】
2021514123.tif 000017
【図１６】
2021514123.tif 000018
【図１７】
2021514123.tif 000019
【図１８】
2021514123.tif 000020
【図１９】
2021514123.tif 000021
【国際調査報告】
2021514123.tif 000022
2021514123.tif 000023